(57)【特許請求の範囲】
【請求項１】
ＩＭＲ（Ｉｎｔｅｒｆｅｒｅｎｃｅ  Ｍｅａｓｕｒｅｍｅｎｔ  Ｒｅｓｏｕｒｃｅ）が２つ以上の０の電力（ｚｅｒｏ−ｐｏｗｅｒ）ＣＳＩ−ＲＳ（Ｃｈａｎｎｅｌ−Ｓｔａｔｅ  Ｉｎｆｏｒｍａｔｉｏｎ−Ｒｅｆｅｒｅｎｃｅ  Ｓｉｇｎａｌ）リソースの和集合に存在する無線接続システムにおいて端末がデータを処理する方法であって、
０でない電力（ｎｏｎ−ｚｅｒｏ−ｐｏｗｅｒ）を用いるＣＳＩ−ＲＳリソース設定を識別する情報を含むＤＣＩを受信するステップと、
第１の０の電力ＣＳＩ−ＲＳリソースにＰＤＳＣＨ（Ｐｈｙｓｉｃａｌ  Ｄｏｗｎｌｉｎｋ  Ｃｏｎｔｒｏｌ  Ｃｈａｎｎｅｌ）がマッピングされないと推定するステップであって、前記第１の０の電力ＣＳＩ−ＲＳリソースは、前記０でない電力を用いる前記ＣＳＩ−ＲＳリソース設定と関連する０の電力ＣＳＩ−ＲＳリソースに用いられる、ステップと、
前記ＩＭＲのうち、前記第１の０の電力ＣＳＩ−ＲＳリソース以外で、第２の０の電力ＣＳＩ−ＲＳリソースに、前記ＰＤＳＣＨがマッピングされると推定するステップと、
前記推定するステップに基づいて前記ＰＤＳＣＨを処理するステップと、
を含む、データ処理方法。
【請求項２】
前記ＩＭＲは前記第１の０の電力ＣＳＩ−ＲＳリソースと前記第２の０の電力ＣＳＩ−ＲＳリソースの一つと重なる、請求項１に記載のデータ処理方法。
【請求項３】
前記第１及び第２の０の電力ＣＳＩ−ＲＳリソースを示すビットマップ情報を受信するステップをさらに含む、請求項１に記載のデータ処理方法。
【請求項４】
前記第１及び第２の０の電力ＣＳＩ−ＲＳリソースを示す情報をＲＲＣ（Ｒａｄｉｏ  Ｒｅｓｏｕｒｃｅ  Ｃｏｎｔｒｏｌ）シグナリングを用いて受信するステップをさらに含む、請求項１に記載のデータ処理方法。
【請求項５】
前記第１及び第２の０の電力ＣＳＩ−ＲＳリソースを割り当てるサブフレームオフセット及びサブフレーム周期の少なくとも一つを示す情報を受信するステップをさらに含む、請求項１に記載のデータ処理方法。
【請求項６】
ＩＭＲ（Ｉｎｔｅｒｆｅｒｅｎｃｅ  Ｍｅａｓｕｒｅｍｅｎｔ  Ｒｅｓｏｕｒｃｅ）が２つ以上の０の電力（ｚｅｒｏ−ｐｏｗｅｒ）ＣＳＩ−ＲＳ（Ｃｈａｎｎｅｌ−Ｓｔａｔｅ  Ｉｎｆｏｒｍａｔｉｏｎ−Ｒｅｆｅｒｅ
ｎｃｅ  Ｓｉｇｎａｌ）リソースの和集合に存在する無線接続システムにおいてデータを処理する端末であって、
ＲＦ（Ｒａｄｉｏ  Ｆｒｅｑｕｅｎｃｙ）ユニットと、
プロセッサと、
を備え、
前記プロセッサは、
０でない電力（ｎｏｎ−ｚｅｒｏ−ｐｏｗｅｒ）を用いるＣＳＩ−ＲＳリソース設定を識別する情報を含むＤＣＩ(Downlink Control Information)を受信し、
第１の０の電力ＣＳＩ−ＲＳリソースにＰＤＳＣＨ（Ｐｈｙｓｉｃａｌ  Ｄｏｗｎｌｉｎｋ  Ｃｏｎｔｒｏｌ  Ｃｈａｎｎｅｌ）がマッピングされないと推定し、前記第１の０の電力ＣＳＩ−ＲＳリソースは、前記０でない電力を用いる前記ＣＳＩ−ＲＳリソース設定と関連した０の電力ＣＳＩ−ＲＳリソースに用いられ、
前記ＩＭＲのうち、前記第１の０の電力ＣＳＩ−ＲＳリソース以外で、第２の０の電力ＣＳＩ−ＲＳリソースに、前記ＰＤＳＣＨがマッピングされると推定し、
前記推定した結果に基づいて前記ＰＤＳＣＨを処理するように構成された、端末。
【請求項７】
前記ＩＭＲは前記第１の０の電力ＣＳＩ−ＲＳリソースと前記第２の０の電力ＣＳＩ−ＲＳリソースの一つと重なる、請求項６に記載の端末。
【請求項８】
前記プロセッサは、前記第１及び第２の０の電力ＣＳＩ−ＲＳリソースを示すビットマップ情報を受信するように構成された、請求項６に記載の端末。
【請求項９】
前記プロセッサは、前記第１及び第２の０の電力ＣＳＩ−ＲＳリソースを示す情報をＲＲＣ（Ｒａｄｉｏ  Ｒｅｓｏｕｒｃｅ  Ｃｏｎｔｒｏｌ）シグナリングを用いて受信するように構成された、請求項６に記載の端末。
【請求項１０】
前記プロセッサは、前記第１及び第２の０の電力ＣＳＩ−ＲＳリソースを割り当てるサブフレームオフセット及びサブフレーム周期の少なくとも一つを示す情報を受信するように構成された、請求項６に記載の端末。
【発明の詳細な説明】
【技術分野】
【０００１】
本発明は、無線通信システムに関し、特に、協調的送信（cooperative multi-point:ＣｏＭＰ）を支援する無線通信システムにおいて送信基地局に対応する０の電力チャネル状態情報参照信号のリソース領域にデータがマッピングされないと仮定してＰＤＳＣＨチャネルを介してデータを受信するデータ受信方法及び装置に関する。
【背景技術】
【０００２】
多重入出力（ＭＩＭＯ：Ｍｕｌｔｉ−Ｉｎｐｕｔ  Ｍｕｌｔｉ−Ｏｕｔｐｕｔ）技術は、単一の送信アンテナと単一の受信アンテナを使用したことから脱皮し、複数の送信アンテナと複数の受信アンテナを使用してデータの送受信効率を向上させる技術である。受信側は、単一のアンテナを使用する場合には単一アンテナ経路（ｐａｔｈ）を通してデータを受信するが、複数のアンテナを使用する場合には複数の経路を通してデータを受信する。したがって、データの送信速度と送信量を向上させることができ、カバレッジ（ｃｏｖｅｒａｇｅ）を増大させることができる。
【０００３】
単一−セル（Ｓｉｎｇｌｅ−ｃｅｌｌ）ＭＩＭＯ動作は、一つのセルで一つの端末が下りリンク信号を受信する単一ユーザー−ＭＩＭＯ（Ｓｉｎｇｌｅ  Ｕｓｅｒ−ＭＩＭＯ；ＳＵ−ＭＩＭＯ）方式と、二つ以上の端末が一つのセルで下りリンク信号を受信する多重ユーザー−ＭＩＭＯ（Ｍｕｌｔｉ  Ｕｓｅｒ−ＭＩＭＯ；ＭＵ−ＭＩＭＯ）方式とに区別される。
【０００４】
一方、多重−セル環境なおいて改善されたＭＩＭＯ送信を適用することによって、セル境界に位置するユーザーの処理量を改善するための協調マルチポイント（Ｃｏｏｒｄｉｎａｔｅｄ  Ｍｕｌｔｉ−Ｐｏｉｎｔ：ＣｏＭＰ）システムに関する研究が活発に行われている。ＣｏＭＰシステムを適用すると、多重−セル環境でセル間干渉（Ｉｎｔｅｒ−Ｃｅｌｌ  Ｉｎｔｅｒｆｅｒｅｎｃｅ）を減らすことができ、システム全般の性能を向上させることができる。
【０００５】
チャネル推定（ｃｈａｎｎｅｌ  ｅｓｔｉｍａｔｉｏｎ）は、フェーディング（ｆａｄｉｎｇ）によって生じる信号の歪みを補償することによって、受信された信号を復元する過程のことをいう。ここでいうフェーディングとは、無線通信システム環境で多重経路（ｍｕｌｔｉ  ｐａｔｈ）−時間遅延（ｔｉｍｅ  ｄｅｌａｙ）によって信号の強度が急に変動する現象を指す。チャネル推定のためには、送信機も受信機も知っている参照信号（ｒｅｆｅｒｅｎｃｅ  ｓｉｇｎａｌ）が必要である。また、参照信号は、ＲＳ（Ｒｅｆｅｒｅｎｃｅ  Ｓｉｇｎａｌ）と略称することもでき、適用される標準によってパイロット（Ｐｉｌｏｔ）と呼ぶこともできる。
【０００６】
下りリンク参照信号（ｄｏｗｎｌｉｎｋ  ｒｅｆｅｒｅｎｃｅ  ｓｉｇｎａｌ）は、ＰＤＳＣＨ（Ｐｈｙｓｉｃａｌ  Ｄｏｗｎｌｉｎｋ  Ｓｈａｒｅｄ  ＣＨａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、ＰＨＩＣＨ（Ｐｈｙｓｉｃａｌ  Ｈｙｂｒｉｄ  Ｉｎｄｉｃａｔｏｒ  ＣＨａｎｎｅｌ）、ＰＤＣＣＨ（Ｐｈｙｓｉｃａｌ  Ｄｏｗｎｌｉｎｋ  Ｃｏｎｔｒｏｌ  ＣＨａｎｎｅｌ）などのコヒーレント（ｃｏｈｅｒｅｎｔ）復調のためのパイロット信号である。下りリンク参照信号は、セル内の全端末が共有する共用参照信号（Ｃｏｍｍｏｎ  Ｒｅｆｅｒｅｎｃｅ  Ｓｉｇｎａｌ；ＣＲＳ）と、特定端末のみのための専用参照信号（Ｄｅｄｉｃａｔｅｄ  Ｒｅｆｅｒｅｎｃｅ  Ｓｉｇｎａｌ；ＤＲＳ）がある。４送信アンテナを支援する既存の通信システム（例えば、ＬＴＥ  ｒｅｌｅａｓｅ（リリース）８又は９標準に基づくシステム）に比べて拡張されたアンテナ構成を有するシステム（例えば、８送信アンテナを支援するＬＴＥ−Ａ標準に基づくシステム）では、効率的な参照信号の運用と発展した送信方式を支援するためにＤＲＳベースのデータ復調を考慮している。すなわち、拡張されたアンテナを用いたデータ送信を支援するために、２以上のレイヤに対するＤＲＳを定義することができる。ＤＲＳはデータと同一のプリコーダによってプリコーディングされるため、別のプリコーディング情報無しで、受信側でデータを復調するためのチャネル情報を容易に推定することができる。
【０００７】
一方、下りリンク受信側では、ＤＲＳを用いて、拡張されたアンテナ構成に対してプリコーディングされたチャネル情報を取得することができるが、プリコーディングされていないチャネル情報を取得するためにはＤＲＳ以外の別の参照信号が要求される。そのため、ＬＴＥ−Ａ標準に基づくシステムでは、受信側でチャネル状態情報（Ｃｈａｎｎｅｌ  Ｓｔａｔｅ  Ｉｎｆｏｒｍａｔｉｏｎ；ＣＳＩ）を取得するための参照信号、すなわち、ＣＳＩ−ＲＳを定義することができる。
【発明の概要】
【発明が解決しようとする課題】
【０００８】
上述したような議論に基づき、以下では、協調的送信を支援する無線通信システムにおいてデータを受信する方法及びそのための装置を提案する。
【０００９】
本発明で達成しようとする技術的課題は、上記の技術的課題に制限されず、言及していない他の技術的課題は、以下の記載から、本発明の属する技術の分野における通常の知識を有する者に明確に理解されるであろう。
【課題を解決するための手段】
【００１０】
上記問題点を解決するために、本発明の一実施例に係る、協調的送信を支援する無線通信システムにおいて端末がデータを受信する方法は、前記協調的送信に参加する複数の基地局のうち、前記データを実際に送信する送信基地局を示す情報を受信するステップと、前記複数の基地局のそれぞれの０の電力（ｚｅｒｏ−ｐｏｗｅｒ）チャネル状態情報−参照信号（ＣＳＩ−ＲＳ）に関する情報を受信するステップと、前記送信基地局に対応する０の電力ＣＳＩ−ＲＳのリソース要素に前記データがマッピングされないと仮定してＰＤＳＣＨ（ｐｈｙｓｉｃａｌ  ｄｏｗｎｌｉｎｋ  ｃｏｎｔｒｏｌ  ｃｈａｎｎｅｌ）チャネルを介して前記データを受信するステップと、を含むことを特徴とする。
【００１１】
前記データを受信するステップは、前記複数の基地局のうち、前記データを実際に送信しない協調基地局に対応する０の電力ＣＳＩ−ＲＳのリソース要素には前記データがマッピングされると仮定して前記データを受信してもよい。
【００１２】
前記協調的送信において干渉を測定するための干渉測定リソース（ＩＭＲ）は、前記複数の基地局のそれぞれの０の電力ＣＳＩ−ＲＳのリソース要素の和集合内に存在してもよい。
【００１３】
前記データを受信するステップは、前記ＩＭＲのリソース要素のうち、前記送信基地局に対応する０の電力ＣＳＩ−ＲＳのリソース要素には前記データがマッピングされないと仮定し、残りのＩＭＲのリソース要素には前記データがマッピングされると仮定して前記データを受信するステップを含んでもよい。
【００１４】
前記送信基地局を示す情報は、ＤＣＩ（Ｄｏｗｎｌｉｎｋ  Ｃｏｎｔｒｏｌ  Ｉｎｆｏｒｍａｔｉｏｎ）を通じて受信されてもよい。
【００１５】
前記０の電力ＣＳＩ−ＲＳに関する情報は、ＲＲＣ（Ｒａｄｉｏ  Ｒｅｓｏｕｒｃｅ  Ｃｏｎｔｒｏｌ）シグナリングを通じて受信されてもよい。
【００１６】
前記０の電力ＣＳＩ−ＲＳに関する情報は、前記０の電力ＣＳＩ−ＲＳが送信されるサブフレームオフセット及び周期の少なくとも一つを含んでもよい。
【００１７】
本発明の他の実施例に係る、協調的送信を支援する無線通信システムにおいてデータを受信する端末は、ＲＦ（Ｒａｄｉｏ  Ｆｒｅｑｕｅｎｃｙ）ユニットと、プロセッサと、を備え、前記プロセッサは、前記協調的送信に参加する複数の基地局のうち、前記データを実際に送信する送信基地局を示す情報を受信し、前記複数の基地局のそれぞれの０の電力（ｚｅｒｏ−ｐｏｗｅｒ）チャネル状態情報−参照信号（ＣＳＩ−ＲＳ）に関する情報を受信し、前記送信基地局に対応する０の電力ＣＳＩ−ＲＳのリソース要素に前記データがマッピングされないと仮定してＰＤＳＣＨ（ｐｈｙｓｉｃａｌ  ｄｏｗｎｌｉｎｋ  ｃｏｎｔｒｏｌ  ｃｈａｎｎｅｌ）チャネルを介して前記データを受信するように構成されることを特徴とする。
【００１８】
前記プロセッサは、前記複数の基地局のうち、前記データを実際に送信しない協調基地局に対応する０の電力ＣＳＩ−ＲＳのリソース要素には前記データがマッピングされると仮定して前記データを受信するように構成されてもよい。
【００１９】
前記協調的送信において干渉を測定するための干渉測定リソース（ＩＭＲ）は、前記複数の基地局のそれぞれの０の電力ＣＳＩ−ＲＳのリソース要素の和集合内に存在してもよい。
【００２０】
前記プロセッサは、前記ＩＭＲのリソース要素のうち、前記送信基地局に対応する０の電力ＣＳＩ−ＲＳのリソース要素には前記データがマッピングされないと仮定し、残りのＩＭＲのリソース要素には前記データがマッピングされると仮定して前記データを受信するように構成されてもよい。
【００２１】
前記送信基地局を示す情報は、ＤＣＩ（Ｄｏｗｎｌｉｎｋ  Ｃｏｎｔｒｏｌ  Ｉｎｆｏｒｍａｔｉｏｎ）を介して受信されてもよい。
【００２２】
前記０の電力ＣＳＩ−ＲＳに関する情報は、ＲＲＣ（Ｒａｄｉｏ  Ｒｅｓｏｕｒｃｅ  Ｃｏｎｔｒｏｌ）シグナリングを通じて受信されてもよい。
【００２３】
前記０の電力ＣＳＩ−ＲＳに関する情報は、前記０の電力ＣＳＩ−ＲＳが送信されるサブフレームオフセット及び周期の少なくとも一つを含んでもよい。
【００２４】
本発明について上述した一般的な説明と後述する詳細な説明はいずれも例示的なもので、請求項に記載の発明に関する更なる説明のためのものである。
【発明の効果】
【００２５】
本発明の実施例によれば、協調的送信を支援する無線通信システムにおいてデータをより効率的に受信することができる。
【００２６】
また、本発明の実施例によれば、協調的送信（ＣｏＭＰ）を支援する無線通信システムにおいて送信基地局に対応する０の電力チャネル状態情報参照信号のリソース領域にデータがマッピングされないと仮定したうえＰＤＳＣＨチャネルを介してデータを受信することができる。
【００２７】
本発明から得られる効果は以上で言及した効果に制限されず、言及していない他の効果は、以下の記載から、本発明の属する技術の分野における通常の知識を有する者には明らかであろう。
【図面の簡単な説明】
【００２８】
【図１】下りリンク無線フレームの構造を示す図である。
【図２】一つの下りリンクスロットのリソースグリッド（ｒｅｓｏｕｒｃｅ  ｇｒｉｄ）の一例を示す図である。
【図３】下りリンクサブフレームの構造を示す図である。
【図４】上りリンクサブフレームの構造を示す図である。
【図５】多重アンテナを有する無線通信システムの構成図である。
【図６】既存のＣＲＳ及びＤＲＳのパターンを示す図である。
【図７】ＤＭ ＲＳパターンの一例を示す図である。
【図８】ＣＳＩ−ＲＳパターンの例示を示す図である。
【図９】ＺＰ（Ｚｅｒｏ  Ｐｏｗｅｒ）ＣＳＩ−ＲＳパターンの例示を示す図である。
【図１０】ＣｏＭＰを行う例を示す図である。
【図１１】下りリンクＣｏＭＰ動作を行う場合を示す図である。
【図１２】本発明の第１実施例に係るデータ受信方法を表すフローチャートである。
【図１３】本発明の一実施例に係るＥＰＤＣＣＨの例示を示す図である。
【図１４】本発明の一実施例に適用されることができる基地局及び端末の構成を図示した図である。
【発明を実施するための形態】
【００２９】
本発明に関する理解を助けるために詳細な説明の一部として含まれる添付の図面は、本発明に関する実施例を提供し、詳細な説明と共に本発明の技術的思想を説明する。
以下の実施例は、本発明の構成要素と特徴を所定の形態で結合したものである。各構成要素又は特徴は、特別の言及がない限り、選択的なものと考慮すればよい。各構成要素又は特徴は、他の構成要素や特徴と結合していない形態で実施されもてよく、一部の構成要素及び／又は特徴を結合して本発明の実施例を構成してもよい。本発明の実施例で説明される動作の順序は変更されてもよい。ある実施例の一部の構成や特徴は、他の実施例に含まれてもよく、他の実施例の対応する構成又は特徴に取り替えられてもよい。
【００３０】
本明細書において、本発明の実施例を、基地局と端末間のデータ送信及び受信の関係を中心に説明する。ここで、基地局は、端末と通信を直接行うネットワークの終端ノード（ｔｅｒｍｉｎａｌ  ｎｏｄｅ）としての意味を持つ。本文書で基地局によって行われるとした特定動作は、場合によっては基地局の上位ノード（ｕｐｐｅｒ  ｎｏｄｅ）によって行われることもある。
【００３１】
すなわち、基地局を含めた複数のネットワークノード（ｎｅｔｗｏｒｋ  ｎｏｄｅｓ）からなるネットワークにおいて端末との通信のために行われる様々な動作は、基地局、又は基地局以外の他のネットワークノードによって行われ得ることは明らかである。「基地局（ＢＳ：Ｂａｓｅ  Ｓｔａｔｉｏｎ）」は、固定局（ｆｉｘｅｄ  ｓｔａｔｉｏｎ）、Ｎｏｄｅ Ｂ、ｅＮｏｄｅ Ｂ（ｅＮＢ）、アクセスポイント（ＡＰ：Ａｃｃｅｓｓ  Ｐｏｉｎｔ）などの用語に置き換えてもよい。中継機は、ＲＮ（Ｒｅｌａｙ  Ｎｏｄｅ）、ＲＳ（Ｒｅｌａｙ  Ｓｔａｔｉｏｎ）などの用語に置き換えてもよい。また、「端末（Ｔｅｒｍｉｎａｌ）」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）などの用語に置き換えてもよい。
【００３２】
以下の説明で使われる特定用語は、本発明の理解を助けるために提供されるものであり、このような特定用語の使用は、本発明の技術的思想から逸脱しない範囲で他の形態に変更してもよい。
【００３３】
場合によって、本発明の概念が曖昧になることを避けるために、公知の構造及び装置は省略されたり、各構造及び装置の核心機能を中心にしたブロック図の形式で図示されることもある。また、本明細書を通じて同一の構成要素には同一の図面符号を付して説明する。
【００３４】
本発明の実施例は、無線接続システムであるＩＥＥＥ ８０２システム、３ＧＰＰシステム、３ＧＰＰ ＬＴＥ及びＬＴＥ−Ａ（ＬＴＥ−Ａｄｖａｎｃｅｄ）システム、並びに３ＧＰＰ２システムの少なくとも一つに開示された標準文書によって裏付けることができる。すなわち、本発明の実施例において、本発明の技術的思想を明確にするために説明を省いた段階又は部分は、上記の文書によって裏付けることができる。また、本文書で開示している用語はいずれも上記の標準文書によって説明することができる。
【００３５】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現することができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ  ＵＴＲＡ）などのような無線技術によって具現することができる。ＵＴＲＡはＵＭＴＳ（Ｕｎｉｖｅｒｓａｌ  Ｍｏｂｉｌｅ  ＴｅｌｅｃｏｍｍｕｎｉｃａｔｉｏｎｓＳｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ） ＬＴＥ（ｌｏｎｇｔｅｒｍ  ｅｖｏｌｕｔｉｏｎ）は、Ｅ−ＵＴＲＡを使用するＥ−ＵＭＴＳ（Ｅｖｏｌｖｅｄ  ＵＭＴＳ）の一部で、下りリンクにおいてＯＦＤＭＡを採用し、上りリンクにおいてＳＣ−ＦＤＭＡを採用する。ＬＴＥ−Ａ（Ａｄｖａｎｃｅｄ）は、３ＧＰＰ ＬＴＥの進展である。ＷｉＭＡＸは、ＩＥＥＥ ８０２．１６ｅ規格（Ｗｉｒｅｌｅｓｓ  ＭＡＮ−ＯＦＤＭＡ  Ｒｅｆｅｒｅｎｃｅ  Ｓｙｓｔｅｍ）及び進展したＩＥＥＥ ８０２．１６ｍ規格（Ｗｉｒｅｌｅｓｓ  ＭＡＮ−ＯＦＤＭＡ  Ａｄｖａｎｃｅｄ  ｓｙｓｔｅｍ）によって説明することができる。明確性のために、以下では３ＧＰＰ ＬＴＥ及び３ＧＰＰ ＬＴＥ−Ａシステムを中心に説明するが、本発明の技術的思想がこれに制限されることはない。
【００３６】
図１を参照して下りリンク無線フレームの構造について説明する。
【００３７】
セルラーＯＦＤＭ無線パケット通信システムにおいて、上り／下りリンクデータパケット送信はサブフレーム（ｓｕｂｆｒａｍｅ）単位に行われ、１サブフレームは、複数のＯＦＤＭシンボルを含む一定の時間区間と定義される。３ＧＰＰ ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造と、ＴＤＤ（Ｔｉｍｅ  Ｄｉｖｉｓｉｏｎ  Ｄｕｐｌｅｘ）に適用可能なタイプ２無線フレーム構造を支援する。
【００３８】
図１は、タイプ１無線フレーム構造を示す図である。下りリンク無線フレームは１０個のサブフレームで構成され、１個のサブフレームは時間領域（ｔｉｍｅ  ｄｏｍａｉｎ）において２個のスロットで構成される。１個のサブフレームを送信するために掛かる時間をＴＴＩ（ｔｒａｎｓｍｉｓｓｉｏｎ  ｔｉｍｅ  ｉｎｔｅｒｖａｌ）という。例えば、１サブフレームの長さは１ｍｓであり、１スロットの長さは０．５ｍｓであってもよい。１スロットは時間領域において複数のＯＦＤＭシンボルを含み、周波数領域において複数のリソースブロック（Ｒｅｓｏｕｒｃｅ  Ｂｌｏｃｋ；ＲＢ）を含む。３ＧＰＰ ＬＴＥシステムでは、下りリンクでＯＦＤＭＡを用いるので、ＯＦＤＭシンボルが１シンボル区間を表す。ＯＦＤＭシンボルはＳＣ−ＦＤＭＡシンボル又はシンボル区間と呼ばれることもある。リソースブロック（ＲＢ）はリソース割当単位であり、１スロットにおいて複数個の連続した副搬送波（ｓｕｂｃａｒｒｉｅｒ）を含むことができる。
【００３９】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって異なることがある。ＣＰには拡張ＣＰ（ｅｘｔｅｎｄｅｄ  ＣＰ）と一般ＣＰ（ｎｏｒｍａｌ  ＣＰ）がある。例えば、ＯＦＤＭシンボルが一般ＣＰによって構成された場合、１スロットに含まれるＯＦＤＭシンボルの数は７個であってもよい。ＯＦＤＭシンボルが拡張ＣＰによって構成された場合、１ ＯＦＤＭシンボルの長さが増加するため、１スロットに含まれるＯＦＤＭシンボルの数は、一般ＣＰの場合に比べて少ない。拡張ＣＰの場合に、例えば、１スロットに含まれるＯＦＤＭシンボルの数は６個であってもよい。端末が速い速度で移動する場合などのようにチャネル状態が不安定な場合には、シンボル間干渉をより減らすために拡張ＣＰを用いることができる。
【００４０】
一般ＣＰが用いられる場合、１スロットは７個のＯＦＤＭシンボルを含み、１サブフレームは１４個のＯＦＤＭシンボルを含む。このとき、各サブフレームにおける先頭２個又は３個のＯＦＤＭシンボルはＰＤＣＣＨ（ｐｈｙｓｉｃａｌ  ｄｏｗｎｌｉｎｋ  ｃｏｎｔｒｏｌ  ｃｈａｎｎｅｌ）に割り当て、残りのＯＦＤＭシンボルはＰＤＳＣＨ（ｐｈｙｓｉｃａｌ  ｄｏｗｎｌｉｎｋ  ｓｈａｒｅｄ  ｃｈａｎｎｅｌ）に割り当てることができる。
【００４１】
無線フレームの構造は例示に過ぎず、無線フレームに含まれるサブフレームの数、サブフレームに含まれるスロットの数、又はスロットに含まれるシンボルの数は様々に変更することができる。
【００４２】
図２は、１下りリンクスロットにおけるリソースグリッド（ｒｅｓｏｕｒｃｅ  ｇｒｉｄ）を例示する図である。これは、ＯＦＤＭシンボルが一般ＣＰで構成された場合である。図２を参照すると、下りリンクスロットは、時間領域で複数のＯＦＤＭシンボルを含み、周波数領域で複数のリソースブロックを含む。ここで、１下りリンクスロットは７個のＯＦＤＭシンボルを含み、１リソースブロックは１２個の副搬送波を含むとしたが、これに制限されない。リソースグリッド上の各要素（ｅｌｅｍｅｎｔ）をリソース要素（ＲＥ）と呼ぶ。例えば、リソース要素ａ（ｋ，ｌ）は、ｋ番目の副搬送波とｌ番目のＯＦＤＭシンボルに位置しているリソース要素となる。一般ＣＰの場合、１つのリソースブロックは１２×７リソース要素を含む（拡張ＣＰの場合は、１２×６リソース要素を含む）。各副搬送波の間隔は１５ｋＨｚであるから、１リソースブロックは周波数領域で約１８０ｋＨｚを含む。ＮDLは、下りリンクスロットに含まれるリソースブロックの数である。ＮDLの値は、基地局のスケジューリングによって設定される下りリンク送信帯域幅（ｂａｎｄｗｉｄｔｈ）によって決定できる。
【００４３】
図３は、下りリンクサブフレームの構造を示す図である。１サブフレーム内で第一のスロットの先頭における最大３個のＯＦＤＭシンボルは、制御チャネルが割り当てられる制御領域に該当する。残りのＯＦＤＭシンボルは、物理下り共有チャネル（Ｐｈｙｓｉｃａｌ  Ｄｏｗｎｌｉｎｋ  Ｓｈａｒｅｄ  Ｃｈａｎｃｅｌ；ＰＤＳＣＨ）が割り当てられるデータ領域に該当する。送信の基本単位は、１サブフレームとなる。すなわち、２個のスロットにわたってＰＤＣＣＨ及びＰＤＳＣＨが割り当てられる。３ＧＰＰ ＬＴＥシステムで用いられる下り制御チャネルには、例えば、物理制御フォーマット指示子チャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ；ＰＣＦＩＣＨ）、物理下り制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、物理ＨＡＲＱ指示子チャネル（Ｐｈｙｓｉｃａｌ  Ｈｙｂｒｉｄ  ａｕｔｏｍａｔｉｃ  ｒｅｐｅａｔ  ｒｅｑｕｅｓｔ  Ｉｎｄｉｃａｔｏｒ  Ｃｈａｎｅｌ；ＰＨＩＣＨ）などがある。ＰＣＦＩＣＨは、サブフレームの最初のＯＦＤＭシンボルで送信され、サブフレーム内の制御チャネル送信に用いられるＯＦＤＭシンボルの個数に関する情報を含む。ＰＨＩＣＨは、上り送信の応答としてＨＡＲＱ ＡＣＫ／ＮＡＣＫ信号を含む。ＰＤＣＣＨで送信される制御情報を、下りリンク制御情報（Ｄｏｗｎｌｉｎｋ  Ｃｏｎｔｒｏｌ  Ｉｎｆｏｒｍａｔｉｏｎ；ＤＣＩ）という。ＤＣＩは、上りリンク又は下りリンクスケジューリング情報を含んだり、任意の端末グループに対する上り送信電力制御命令を含む。ＰＤＣＣＨは、下り共有チャネル（ＤＬ−ＳＣＨ）のリソース割当及び送信フォーマット、上り共有チャネル（ＵＬ−ＳＣＨ）のリソース割当情報、ページングチャネル（ＰＣＨ）のページング情報、ＤＬ−ＳＣＨ上のシステム情報、ＰＤＳＣＨ上で送信されるランダムアクセス応答（Ｒａｎｄｏｍ  Ａｃｃｅｓｓ  Ｒｅｓｐｏｎｓｅ）のような上位層制御メッセージのリソース割当、任意の端末グループ内の個別端末に対する送信電力制御命令のセット、送信電力制御情報、ＶｏＩＰ（Ｖｏｉｃｅ  ｏｖｅｒ  ＩＰ）の活性化などを含むことができる。複数のＰＤＣＣＨが制御領域内で送信され、端末は複数のＰＤＣＣＨをモニタすることもできる。ＰＤＣＣＨは一つ以上の連続する制御チャネル要素（Ｃｏｎｔｒｏｌ  Ｃｈａｎｎｅｌ  Ｅｌｅｍｅｎｔ；ＣＣＥ）の組合せ（ａｇｇｒｅｇａｔｉｏｎ）で送信される。ＣＣＥは、無線チャネルの状態に基づくコーディングレートでＰＤＣＣＨを提供するために用いられる論理割当単位である。ＣＣＥは、複数個のリソース要素グループに対応する。ＰＤＣＣＨのフォーマットと利用可能なビット数は、ＣＣＥの個数とＣＣＥによって提供されるコーディングレート間の相関関係によって決定される。基地局は、端末に送信されるＤＣＩによってＰＤＣＣＨフォーマットを決定し、制御情報に巡回冗長検査（Ｃｙｃｌｉｃ  Ｒｅｄｕｎｄａｎｃｙ  Ｃｈｅｃｋ；ＣＲＣ）を付加する。ＣＲＣは、ＰＤＣＣＨの所有者又は用途によって無線ネットワーク臨時識別子（Ｒａｄｉｏ  Ｎｅｔｗｏｒｋ  Ｔｅｍｐｏｒａｒｙ  Ｉｄｅｎｔｉｆｉｅｒ；ＲＮＴＩ）という識別子でマスクされる。ＰＤＣＣＨが特定端末に対するものであれば、端末のｃｅｌｌ−ＲＮＴＩ（Ｃ−ＲＮＴＩ）識別子をＣＲＣにマスクすることができる。又は、ＰＤＣＣＨがページングメッセージに対するものであれば、ページング指示子識別子（Ｐａｇｉｎｇ  Ｉｎｄｉｃａｔｏｒ  Ｉｄｅｎｔｉｆｉｅｒ；Ｐ−ＲＮＴＩ）をＣＲＣにマスクすることができる。ＰＤＣＣＨがシステム情報（より具体的に、システム情報ブロック（ＳＩＢ））に対するものであれば、システム情報識別子及びシステム情報ＲＮＴＩ（ＳＩ−ＲＮＴＩ）をＣＲＣにマスクすることができる。端末のランダムアクセスプリアンブルの送信に対する応答であるランダムアクセス応答を示すために、ランダムアクセス−ＲＮＴＩ（ＲＡ−ＲＮＴＩ）をＣＲＣにマスクすることができる。
【００４４】
図４は、上りリンクサブフレームの構造を示す図である。上りリンクサブフレームは、周波数領域で制御領域とデータ領域とに区別できる。制御領域には上りリンク制御情報を含む物理上り制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）が割り当てられる。データ領域には、ユーザーデータを含む物理上り共有チャネル（Ｐｈｙｓｉｃａｌ  ｕｐｌｉｎｋ  ｓｈａｒｅｄ  ｃｈａｎｎｅｌ；ＰＵＳＣＨ）が割り当てられる。単一搬送波特性を維持するために、一つの端末はＰＵＣＣＨとＰＵＳＣＨを同時に送信しない。一つの端末のＰＵＣＣＨは、サブフレームにおいてリソースブロック対（ＲＢ  ｐａｉｒ）に割り当てられる。リソースブロック対に属するリソースブロックは、２スロットに対して互いに異なる副搬送波を占める。これを、ＰＵＣＣＨに割り当てられるリソースブロック対がスロット境界で周波数−ホップ（ｆｒｅｑｕｅｎｃｙ−ｈｏｐｐｅｄ）するという。
【００４５】
多重アンテナ（ＭＩＭＯ）システムのモデリング
【００４６】
ＭＩＭＯ（（Ｍｕｌｔｉｐｌｅ  Ｉｎｐｕｔ  Ｍｕｌｔｉｐｌｅ  Ｏｕｔｐｕｔ）システムは、多重送信アンテナと多重受信アンテナを用いてデータの送受信効率を向上させるシステムである。ＭＩＭＯ技術は、全体メッセージを受信する上で、単一アンテナ経路に依存せず、複数個のアンテナから受信される複数個のデータ断片を組み合わせて全体データを受信することができる。
【００４７】
ＭＩＭＯ技術には、空間ダイバーシティ（Ｓｐａｔｉａｌ  ｄｉｖｅｒｓｉｔｙ）技法と空間多重化（Ｓｐａｔｉａｌ  ｍｕｌｔｉｐｌｅｘｉｎｇ）技法などがある。空間ダイバーシティ技法は、ダイバーシティ利得（ｇａｉｎ）によって送信信頼度（ｒｅｌｉａｂｉｌｉｔｙ）を上げたりセル半径を広めたりすることができ、高速で移動する端末に対するデータ送信に適している。空間多重化技法は、互いに異なるデータを同時に送信することによって、システムの帯域幅を増加させることなくデータ送信率を増大させることができる。
【００４８】
図５は、多重アンテナを有する無線通信システムの構成図である。図５（ａ）に示すように、送信アンテナの数をＮT個、受信アンテナの数をＮR個と増やすと、送信機又は受信機のいずれか一方のみで複数のアンテナを用いる場合とは違い、アンテナ数に比例して理論的なチャネル送信容量が増加する。したがって、送信レートを向上させ、周波数効率を画期的に向上させることができる。チャネル送信容量が増加することから、送信レートを、理論的に、単一アンテナ利用時の最大送信レート（Ｒo）にレート増加率（Ｒi）を掛けた分だけ増加させることができる。
【００４９】
【数１】
0005937761.tif 000002
【００５０】
例えば、４個の送信アンテナと４個の受信アンテナを用いるＭＩＭＯ通信システムでは、単一アンテナシステムに比べて理論上、４倍の伝送レートを取得することができる。多重アンテナシステムの理論的容量増加が９０年代半ばに証明されて以来、これを実質的なデータ伝送率の向上へと導くための種々の技術が現在まで活発に研究されている。それらのいくつかの技術は既に３世代移動通信と次世代無線ＬＡＮなどの様々な無線通信の標準に反映されている。
【００５１】
現在までの多重アンテナ関連研究動向をみると、様々なチャネル環境及び多重接続環境における多重アンテナ通信容量計算などと関連した情報理論側面の研究、多重アンテナシステムの無線チャネル測定及び模型導出の研究、及び伝送信頼度の向上及び伝送率の向上のための時空間信号処理技術の研究などを含め、様々な観点で活発に研究が行われている。
【００５２】
多重アンテナシステムにおける通信方法を数学的モデリングを用いてより具体的に説明する。当該システムには、ＮT個の送信アンテナとＮR個の受信アンテナが存在するとする。
【００５３】
送信信号について説明すると、ＮT個の送信アンテナがある場合に、送信可能な最大情報はＮT個であるる。送信情報を下記の数式２のように表現することができる。
【００５４】
【数２】
0005937761.tif 000003
【００５５】
【数３】
0005937761.tif 000004
【００５６】
【数４】
0005937761.tif 000005
【００５７】
【数５】
0005937761.tif 000006
【００５８】
【数６】
0005937761.tif 000007
【００５９】
【数７】
0005937761.tif 000008
【００６０】
【数８】
0005937761.tif 000009
【００６１】
ここで、ｗｉｊは、ｉ番目の送信アンテナとｊ番目の情報間の重み値を意味する。Ｗは、プリコーディング行列と呼ぶこともできる。
【００６２】
一方、送信信号ｘは、２つの場合（例えば、空間ダイバーシティ及び空間多重化）によって異なる方法で考慮できる。空間多重化の場合、異なった信号が多重化され、多重化された信号が受信側に送信されるため、情報ベクトルの要素（ｅｌｅｍｅｎｔ）がそれぞれ異なる値を有する。一方、空間ダイバーシティの場合は、同一の信号が複数個のチャネル経路を通して反復的に送信されるため、情報ベクトルの要素が同一の値を有する。勿論、空間多重化及び空間ダイバーシティ技法の組合せも考慮することができる。すなわち、同一の信号が、例えば、３個の送信アンテナを通して空間ダイバーシティ技法によって送信され、残りの信号は空間多重化されて受信側に送信されてもよい。
【００６３】
【数９】
0005937761.tif 000010
【００６４】
【数１０】
0005937761.tif 000011
【００６５】
多重アンテナ無線通信システムでチャネルをモデリングする場合、チャネルは、送受信アンテナインデックスによって区別することができる。送信アンテナｊから受信アンテナｉを経るチャネルをｈｉｊと表示するものとする。ｈｉｊにおいて、受信アンテナインデックスが前であり、送信アンテナのインデックスが後であることに留意されたい。
【００６６】
図５（ｂ）に、ＮT個の送信アンテナから受信アンテナｉへのチャネルを示している。これらのチャネルをまとめてベクトル及び行列の形態で表示することができる。図５（ｂ）で、総ＮT個の送信アンテナから受信アンテナｉに到着するチャネルは、次のように表すことができる。
【００６７】
【数１１】
0005937761.tif 000012
【００６８】
したがって、ＮT個の送信アンテナからＮR個の受信アンテナに到着する全てのチャネルは、次のように表現することができる。
【００６９】
【数１２】
0005937761.tif 000013
【００７０】
【数１３】
0005937761.tif 000014
【００７１】
【数１４】
0005937761.tif 000015
【００７２】
上述した数式９のモデリングによって受信信号を次の通り表現することができる。
【００７３】
【数１５】
0005937761.tif 000016
【００７４】
【数１６】
0005937761.tif 000017
【００７５】
【数１７】
0005937761.tif 000018
【００７６】
【数１８】
0005937761.tif 000019
【００７７】
ＭＩＭＯ送信において、「ランク（Ｒａｎｋ）」は、独立して信号を送信できる経路の数を表し、「レイヤ（ｌａｙｅｒ）の個数」は、各経路を通して送信される信号ストリームの個数を表す。送信端は、信号の送信に用いられるランク数に対応する個数のレイヤを送信するのが一般的であるため、特別な言及がない限り、ランクはレイヤ個数と同じ意味を有する。
【００７８】
参照信号（Ｒｅｆｅｒｅｎｃｅ  Ｓｉｇｎａｌ；ＲＳ）
【００７９】
無線通信システムでパケットを送信する際、送信されるパケットは無線チャネルを介して送信されるため、送信過程で信号の歪みが発生しうる。歪んだ信号を受信側で正しく受信するためには、チャネル情報を用いて受信信号から歪みを補正しなければならない。チャネル情報を把握するために、送信側も受信側も知っている信号を送信し、該信号がチャネルを介して受信される際の歪み程度を用いてチャネル情報を得る方法を主に用いる。該信号をパイロット信号（Ｐｉｌｏｔ  Ｓｉｇｎａｌ）又は参照信号（Ｒｅｆｅｒｅｎｃｅ  Ｓｉｇｎａｌ）という。
【００８０】
多重アンテナを用いてデータを送受信する場合に、正しい信号を受信するためには、各送信アンテナと受信アンテナ間のチャネル状況を知る必要がある。そのために、各送信アンテナ別に異なる参照信号が存在しなければならない。
【００８１】
移動通信システムにおいて参照信号（ＲＳ）はその目的によって２種類に大別できる。その一つは、チャネル情報の取得のために用いられるＲＳであり、もう一つは、データ復調のために用いられるＲＳである。前者は、端末が下りチャネル情報を取得するためのＲＳであるため、広帯域に送信されなければならず、特定サブフレームで下りデータを受信しない端末であっても、当該ＲＳを受信及び測定可能でなければならない。このようなＲＳは、ハンドオーバーなどのための測定などのためにも用いられる。後者は、基地局が下りデータを送る時、当該リソースで併せて送るＲＳであり、端末は当該ＲＳを受信することによってチャネル推定ができ、データを復調することができる。このようなＲＳは、データの送信される領域で送信されなければならない。
【００８２】
既存の３ＧＰＰ ＬＴＥ（例えば、３ＧＰＰ ＬＴＥリリース−８）システムでは、ユニキャスト（ｕｎｉｃａｓｔ）サービスのために２種類の下りリンクＲＳを定義する。その一つは共用参照信号（Ｃｏｍｍｏｎ  ＲＳ；ＣＲＳ）であり、もう一つは、専用参照信号（Ｄｅｄｉｃａｔｅｄ  ＲＳ；ＤＲＳ）である。ＣＲＳは、チャネル状態に関する情報取得及びハンドオーバーなどのための測定などのために用いられ、セル−特定（ｃｅｌｌ−ｓｐｅｃｉｆｉｃ）ＲＳと呼ぶことができる。ＤＲＳは、データ復調のために用いられ、端末−特定（ＵＥ−ｓｐｅｃｉｆｉｃ）ＲＳと呼ぶことができる。既存の３ＧＰＰ ＬＴＥシステムで、ＤＲＳはデータ復調のみのために用いることができ、ＣＲＳは、チャネル情報取得のためにもデータ復調のためにも用いることができる。
【００８３】
ＣＲＳは、セル−特定に送信されるＲＳであり、広帯域（ｗｉｄｅｂａｎｄ）に対して毎サブフレームごとに送信される。ＣＲＳは、基地局の送信アンテナ個数によって最大４個のアンテナポートに対して送信可能である。例えば、基地局の送信アンテナが２個である場合、０番と１番のアンテナポートに対するＣＲＳを送信し、４個の場合は、０〜３番のアンテナポートに対するＣＲＳをそれぞれ送信する。
【００８４】
図６は、基地局が４個の送信アンテナを支援するシステムで一つのリソースブロック（一般ＣＰの場合、時間上で１４個のＯＦＤＭシンボル×周波数上で１２個の副搬送波）上でＣＲＳ及びＤＲＳのパターンを示す図である。図６で、「Ｒ０」、「Ｒ１」、「Ｒ２」及び「Ｒ３」と表示されたリソース要素（ＲＥ）は、それぞれ、アンテナポートインデックス０、１、２及び３に対するＣＲＳの位置を表す。一方、図６で「Ｄ」と表示されたリソース要素は、ＬＴＥシステムで定義されるＤＲＳの位置を表す。
【００８５】
ＬＴＥシステムの進展した形態のＬＴＥ−Ａシステムでは、下りリンクで最大８個の送信アンテナを支援することができる。そのため、最大８個の送信アンテナに対するＲＳも支援されなければならない。ＬＴＥシステムにおける下りリンクＲＳは最大４個のアンテナポートのみに対して定義されているため、ＬＴＥ−Ａシステムにおいて基地局が４個以上最大８個の下りリンク送信アンテナを有する場合、それらのアンテナポートに対するＲＳがさらに定義されなければならない。最大８個の送信アンテナポートに対するＲＳとして、チャネル測定のためのＲＳ、データ復調のためのＲＳの両方とも考慮されなければならない。
【００８６】
ＬＴＥ−Ａシステムを設計する上で重要な考慮事項の一つは逆方向互換性（ｂａｃｋｗａｒｄ  ｃｏｍｐａｔｉｂｉｌｉｔｙ）である。逆方向互換性とは、既存のＬＴＥ端末がＬＴＥ−Ａシステムでも正しく動作するように支援することを意味する。ＲＳ送信観点からは、ＬＴＥ標準で定義されているＣＲＳが全帯域で毎サブフレームごとに送信される時間−周波数領域に最大８個の送信アンテナポートに対するＲＳを追加すると、ＲＳオーバーヘッドが過度に大きくなる。そのため、最大８個のアンテナポートに対するＲＳを新しく設計するに当たり、ＲＳオーバーヘッドを減らすことを考慮しなければならない。
【００８７】
ＬＴＥ−Ａシステムで新しく導入されるＲＳは、大きく、２種類に分類できる。その一つは、送信ランク、変調及びコーディング技法（Ｍｏｄｕｌａｔｉｏｎ  ａｎｄ  Ｃｏｄｉｎｇ  Ｓｃｈｅｍｅ；ＭＣＳ）、プリコーディング行列インデックス（Ｐｒｅｃｏｄｉｎｇ  Ｍａｔｒｉｘ  Ｉｎｄｅｘ；ＰＭＩ）などの選択のためのチャネル測定目的のＲＳであるチャネル状態情報−参照信号（Ｃｈａｎｎｅｌ  Ｓｔａｔｅ  Ｉｎｆｏｒｍａｔｉｏｎ  ＲＳ；ＣＳＩ−ＲＳ）であり、もう一つは、最大８個の送信アンテナを通して送信されるデータを復調するための目的のＲＳである復調−参照信号（ＤｅＭｏｄｕｌａｔｉｏｎ  ＲＳ；ＤＭ ＲＳ）である。
【００８８】
チャネル測定目的のＣＳＩ−ＲＳは、既存のＬＴＥシステムにおけるＣＲＳがチャネル測定、ハンドオーバーなどの測定などの目的と同時にデータ復調のために用いられるのとは違い、チャネル測定中心の目的のために設計される特徴がある。勿論、ＣＳＩ−ＲＳは、ハンドオーバーなどの測定などの目的に用いられてもよい。ＣＳＩ−ＲＳがチャネル状態に関する情報を得る目的のみに送信されるため、既存のＬＴＥシステムにおけるＣＲＳとは違い、毎サブフレームごとに送信されなくてもよい。したがって、ＣＳＩ−ＲＳのオーバーヘッドを減らすために、ＣＳＩ−ＲＳは時間軸上で間欠的に（例えば、周期的に）送信されるように設計されてもよい。
【００８９】
仮に、ある下りリンクサブフレーム上でデータが送信される場合には、データ送信がスケジューリングされた端末に専用で（ｄｅｄｉｃａｔｅｄ）ＤＭ ＲＳが送信される。特定端末専用のＤＭ ＲＳは、当該端末がスケジューリングされたリソース領域、すなわち、当該端末に対するデータが送信される時間−周波数領域でのみ送信されるように設計することができる。
【００９０】
図７は、ＬＴＥ−Ａシステムで定義されるＤＭ ＲＳパターンの一例を示す図である。図７では、下りリンクデータが送信される一つのリソースブロック（一般ＣＰの場合、時間上で１４個のＯＦＤＭシンボル×周波数上で１２個の副搬送波）上でＤＭ ＲＳが送信されるリソース要素の位置を示している。ＤＭ ＲＳは、ＬＴＥ−Ａシステムでさらに定義される４個のアンテナポート（アンテナポートインデックス７、８、９及び１０）に対して送信することができる。互いに異なるアンテナポートに対するＤＭ ＲＳは、異なる周波数リソース（副搬送波）及び／又は異なる時間リソース（ＯＦＤＭシンボル）に位置することで区別することができる（すなわち、ＦＤＭ及び／又はＴＤＭ方式で多重化できる）。また、同一の時間−周波数リソース上に位置する互いに異なるアンテナポートに対するＤＭ ＲＳは、直交コード（ｏｒｔｈｏｇｏｎａｌ  ｃｏｄｅ）によって区別することができる（すなわち、ＣＤＭ方式で多重化できる）。図７の例示で、ＤＭ ＲＳ ＣＤＭグループ１と表示されたリソース要素（ＲＥ）にはアンテナポート７及び８に対するＤＭ ＲＳを位置させることができ、これらは、直交コードによって多重化できる。同様に、図７の例示で、ＤＭ ＲＳグループ２と表示されたリソース要素にはアンテナポート９及び１０に対するＤＭ ＲＳを位置させることができ、これらは、直交コードによって多重化できる。
【００９１】
図８は、ＬＴＥ−Ａシステムで定義されるＣＳＩ−ＲＳパターンの例示を示す図である。図８では、下りリンクデータが送信される一つのリソースブロック（一般ＣＰの場合、時間上で１４個のＯＦＤＭシンボル×周波数上で１２個の副搬送波）上でＣＳＩ−ＲＳが送信されるリソース要素の位置を示している。ある下りリンクサブフレームで、図８（ａ）乃至８（ｅ）のいずれか一つのＣＳＩ−ＲＳパターンを用いることができる。ＣＳＩ−ＲＳは、ＬＴＥ−Ａシステムでさらに定義される８個のアンテナポート（アンテナポートインデックス１５、１６、１７、１８、１９、２０、２１及び２２）に対して送信することができる。互いに異なるアンテナポートに対するＣＳＩ−ＲＳは、異なった周波数リソース（副搬送波）及び／又は異なった時間リソース（ＯＦＤＭシンボル）に位置することで区別することができる（すなわち、ＦＤＭ及び／又はＴＤＭ方式で多重化できる）。また、同一の時間−周波数リソース上に位置する互いに異なるアンテナポートに対するＣＳＩ−ＲＳは、直交コード（ｏｒｔｈｏｇｏｎａｌ  ｃｏｄｅ）によって区別することができる（すなわち、ＣＤＭ方式で多重化できる）。図８（ａ）の例示で、ＣＳＩ−ＲＳ ＣＤＭグループ１と表示されたリソース要素（ＲＥ）にはアンテナポート１５及び１６に対するＣＳＩ−ＲＳを位置させることができ、これらは、直交コードによって多重化できる。図８（ａ）の例示で、ＣＳＩ−ＲＳ ＣＤＭグループ２と表示されたリソース要素にはアンテナポート１７及び１８に対するＣＳＩ−ＲＳを位置させることができ、これらは、直交コードによって多重化できる。図８（ａ）の例示でＣＳＩ−ＲＳ ＣＤＭグループ３と表示されたリソース要素にはアンテナポート１９及び２０に対するＣＳＩ−ＲＳを位置させることができ、これらは、直交コードによって多重化できる。図８（ａ）の例示で、ＣＳＩ−ＲＳ ＣＤＭグループ４と表示されたリソース要素にはアンテナポート２１及び２２に対するＣＳＩ−ＲＳを位置させることができ、これらは、直交コードによって多重化できる。図８（ａ）を基準にして説明した同一原理を、図８（ｂ）乃至８（ｅ）に適用することもできる。
【００９２】
図９は、ＬＴＥ−Ａシステムにおいて定義されるＺＰ（０の電力）（Ｚｅｒｏ  Ｐｏｗｅｒ） ＣＳＩ−ＲＳパターンの例示を示す図である。ＺＰ ＣＳＩ−ＲＳの用途は２種類に大別される。その第一は、ＣＳＩ−ＲＳ性能改善のための用途である。すなわち、一つのネットワークは、他のネットワークのＣＳＩ−ＲＳ測定性能を改善するために、他のネットワークのＣＳＩ−ＲＳ ＲＥにミューティング（ｍｕｔｉｎｇ）をし、自身のＵＥが正しくレートマッチング（ｒａｔｅ  ｍａｔｃｈｉｎｇ）を行えるように、ミューティングされたＲＥをＺＰ ＣＳＩ−ＲＳと設定して知らせることができる。その第二は、ＣｏＭＰ ＣＱＩ計算のための干渉測定の用途である。すなわち、ＺＰ ＣＳＩ−ＲＳ ＲＥに一部のネットワークがミューティングを行い、ＵＥは、このＺＰ ＣＳＩ−ＲＳから干渉を測定し、ＣｏＭＰ ＣＱＩを計算することができる。
【００９３】
図６乃至図９のＲＳパターンは単に例示的なものであり、本発明の様々な実施例を適用するにあって特定ＲＳパターンに限定されるものではない。すなわち、図６乃至図９と異なるＲＳパターンが定義及び使用される場合にも、本発明の様々な実施例を同様に適用することができる。
【００９４】
協調的送信（ＣｏＭＰ）システムにおけるチャネル状態情報（ＣＳＩ）フィードバック
【００９５】
以下では、ＣｏＭＰ（Ｃｏｏｐｅｒａｔｉｖｅ  Ｍｕｌｔｉｐｏｉｎｔ  Ｔｒａｎｓｍｉｓｓｉｏｎ／Ｒｅｃｅｐｔｉｏｎ）について説明する。
【００９６】
ＬＴＥ−Ａ以降のシステムは、複数のセル間の協調を可能にし、システムの性能を向上させる方式の導入を試みている。このような方式を協調多重ポイント送信／受信（Ｃｏｏｐｅｒａｔｉｖｅ  Ｍｕｌｔｉｐｏｉｎｔ  Ｔｒａｎｓｍｉｓｓｉｏｎ／Ｒｅｃｅｐｔｉｏｎ：  ＣｏＭＰ）という。ＣｏＭＰとは、特定端末と、基地局、アクセス（Ａｃｃｅｓｓ）ポイント或いはセル（Ｃｅｌｌ）との通信をより円滑にするために、２つ以上の基地局、アクセスポイント或いはセルが互いに協調して端末と通信する方式のことを指す。本発明で、基地局、アクセス（Ａｃｃｅｓｓ）或いはセルはいずれも同じ意味で使われてもよい。
【００９７】
一般的に、周波数再使用因子（ｆｒｅｑｕｅｎｃｙ  ｒｅｕｓｅ  ｆａｃｔｏｒ）が１である多重セル環境で、セル−間干渉（Ｉｎｔｅｒ−Ｃｅｌｌ  Ｉｎｔｅｒｆｅｒｅｎｃｅ；  ＩＣＩ）によって、セル−境界に位置している端末の性能と平均セクター収率が減少することがある。このようなＩＣＩを低減するために、既存のＬＴＥシステムでは、端末特定電力制御を用いた部分周波数再使用（ｆｒａｃｔｉｏｎａｌ  ｆｒｅｑｕｅｎｃｙ  ｒｅｕｓｅ；  ＦＦＲ）のような単なる受動的な技法を用いて、干渉によって制限を受けた環境でセル−境界に位置している端末が適度の収率性能を有するようにする方法が適用された。しかし、セル当たり周波数リソース使用を減らすよりは、ＩＣＩを低減したり、ＩＣＩを端末の所望する信号として再使用することが一層好ましいだろう。このような目的を達成するために、ＣｏＭＰ送信技法を適用することができる。
【００９８】
図１０には、ＣｏＭＰを行う一例を示す。図１０を参照すると、無線通信システムは、ＣｏＭＰを行う複数の基地局（ＢＳ１、ＢＳ２及びＢＳ３）と端末を含む。ＣｏＭＰを行う複数の基地局（ＢＳ１、ＢＳ２及びＢＳ３）は互いに協調して端末にデータを効率的に送信することができる。
【００９９】
ＣｏＭＰ送信方式は、データ共有を用いた協調的ＭＩＭＯ形態のジョイントプロセシング（ＣｏＭＰ−  Ｊｏｉｎｔ  Ｐｒｏｃｅｓｓｉｎｇ、ＣｏＭＰ−ＪＰ）及び協調スケジューリング／ビームフォーミング（ＣｏＭＰ−  Ｃｏｏｒｄｉｎａｔｅｄ  Ｓｃｈｅｄｕｌｉｎｇ／ｂｅａｍｆｏｒｍｉｎｇ、ＣｏＭＰ−ＣＳ／ＣＢ）方式とに区別できる。
【０１００】
下りリンクにおいて、ジョイントプロセシング（ＣｏＭＰ−ＪＰ）方式では、端末は、ＣｏＭＰ送信方式を行う複数の基地局からデータを同時に受信することができ、各基地局から受信した信号を結合して受信性能を向上させることができる（Ｊｏｉｎｔ  Ｔｒａｎｓｍｉｓｓｉｏｎ、ＪＴ）。また、ＣｏＭＰ送信方式を行う基地局のずれか一つが特定時点に端末にデータを送信する方法も考慮することができる（Ｄｙｎａｍｉｃ  Ｐｏｉｎｔ  Ｓｅｌｅｃｔｉｏｎ，ＤＰＳ）。協調スケジューリング／ビームフォーミング方式（ＣｏＭＰ−ＣＳ／ＣＢ）では、端末はビームフォーミングによってデータを瞬間的に一つの基地局、すなわち、サービング基地局から受信することができる。
【０１０１】
上りリンクでジョイントプロセシング（ＣｏＭＰ−ＪＰ）方式が適用される場合、複数の基地局が端末からＰＵＳＣＨ信号を同時に受信することができる（Ｊｏｉｎｔ  Ｒｅｃｅｐｔｉｏｎ、ＪＲ）。これと違い、協調スケジューリング／ビームフォーミング方式（ＣｏＭＰ−ＣＳ／ＣＢ）の場合、１つの基地局のみがＰＵＳＣＨを受信することができる。協調スケジューリング／ビームフォーミング方式を用いるようにする決定は、協調セル（或いは、基地局）で決定することができる。
【０１０２】
ＣｏＭＰ送信方式を用いる端末、すなわち、ＣｏＭＰ ＵＥは、ＣｏＭＰ送信方式を行う複数の基地局に対してチャネル情報をフィードバック（ｆｅｅｄｂａｃｋ、以下、ＣＳＩフィードバック）することができる。ネットワークスケジューラ（Ｎｅｔｗｏｒｋ  Ｓｃｈｅｄｕｌｅｒ）は、ＣＳＩフィードバックに基づいて、ＣｏＭＰ−ＪＰ、ＣｏＭＰ−ＣＳ／ＣＢ及びＤＰＳ方式の中から、送信率を高め得るような適切なＣｏＭＰ送信方式を選択することができる。そのために、ＣｏＭＰ ＵＥが、ＣｏＭＰ送信方式を行う複数個の基地局内でＣＳＩフィードバックを設定する（ｃｏｎｆｉｇｕｒｅ）方法として、ＰＵＣＣＨを用いた周期的なフィードバック送信方式に従うことができる。この場合、それぞれの基地局に対するフィードバック構成（ｆｅｅｄｂａｃｋ  ｃｏｎｆｉｇｕｒａｔｉｏｎ）は互いに独立したものであってもよい。そのため、以下、本発明の一実施例に係る明細書では、このような独立したフィードバック構成をもってチャネル情報をフィードバックする動作のそれぞれを、ＣＳＩプロセス（ＣＳＩ  ｐｒｏｃｅｓｓ）と呼ぶ。このようなＣＳＩプロセスは、１つのサービングセルに１つ又はそれ以上存在可能である。
【０１０３】
図１１には、下りリンクＣｏＭＰ動作を行う場合を示す。
【０１０４】
図１１で、ＵＥは、ｅＮＢ１とｅＮＢ２との間に位置しており、両ｅＮＢ（すなわち、ｅＮＢ１、ｅＮＢ２）は、ＵＥへの干渉問題を解決するために、ＪＴ、ＤＣＳ、ＣＳ／ＣＢのような適切なＣｏＭＰ動作を行う。ＵＥは、基地局のＣｏＭＰ動作を助けるために、ＣＳＩフィードバック（ＣＳＩ  ｆｅｅｄｂａｃｋ）を行う。ＣＳＩフィードバックによって送信される情報は、各ｅＮＢのＰＭＩ情報及びＣＱＩ情報を含み、さらに、ＪＴのための両ｅＮＢ間のチャネル情報（例えば、両ｅＮＢチャネル間の位相オフセット（ｐｈａｓｅ  ｏｆｆｓｅｔ）情報）を含んでもよい。
【０１０５】
図１１で、ＵＥは、自身のサービングセル（ｓｅｒｖｉｎｇ  ｃｅｌｌ）であるｅＮＢ１にＣＳＩフィードバック信号を送信しているが、状況によって、ｅＮＢ２にＣＳＩフィードバック信号を送信してもよく、両ｅＮＢにＣＳＩフィードバック信号を送信してもよい。また、図１１では、ＣｏＭＰに参加する基本単位をｅＮＢとして説明しているが、ｅＮＢの他、ｅＮＢによって制御される送信ポイント（ｔｒａｎｓｍｉｓｓｉｏｎ  ｐｏｉｎｔ）をＣｏＭＰに参加する基本単位にしてもよい。
【０１０６】
ネットワークでＣｏＭＰスケジューリングをするには、ＵＥはサービングｅＮＢの下りリンクＣＳＩ情報だけでなく、ＣｏＭＰに参加する隣接ｅＮＢの下りリンクＣＳＩ情報も併せてフィードバックしなければならない。そのために、ＵＥは、様々なデータ送信ｅＮＢと様々な干渉環境を反映する複数のＣＳＩプロセスをフィードバックする。
【０１０７】
したがって、ＬＴＥシステムでＣｏＭＰ ＣＳＩ計算時に干渉測定のためにＩＭＲ（Ｉｎｔｅｒｆｅｒｅｎｃｅ  Ｍｅａｓｕｒｅｍｅｎｔ  Ｒｅｓｏｕｒｃｅ）が用いられる。１つのＵＥは、複数個のＩＭＲが設定され（ｃｏｎｆｉｇｕｒｅ）、これら複数個のＩＭＲのそれぞれに対して独立した設定（ｃｏｎｆｉｇｕｒａｔｉｏｎ）を有する。すなわち、それぞれのＩＭＲは、周期、オフセット（ｏｆｆｓｅｔ）及びリソース設定（ｒｅｓｏｕｒｃｅ  ｃｏｎｆｉｇｕｒａｔｉｏｎ）が独立して設定され、基地局はＲＲＣ（Ｒａｄｉｏ  Ｒｅｓｏｕｒｃｅ  Ｃｏｎｔｒｏｌ）シグナリングなどの上位層シグナリング（ＲＲＣなど）を用いてＵＥにシグナリングすることができる。
【０１０８】
また、ＬＴＥシステムでＣｏＭＰ ＣＳＩ計算時に要求される（ｄｅｓｉｒｅｄ）チャネル測定のためにＣＳＩ−ＲＳが用いられる。１つのＵＥには複数個のＣＳＩ−ＲＳが設定され、このとき、ＣＳＩ−ＲＳはそれぞれ独立した設定を有する。すなわち、各ＣＳＩ−ＲＳは、周期、オフセット、リソース割当、電力制御（ｐｏｗｅｒ  ｃｏｎｔｒｏｌ、Ｐｃ）、アンテナポート（ａｎｔｅｎｎａ  ｐｏｒｔ）数が独立して設定される。ＣＳＩ−ＲＳに関する情報は、上位層シグナリング（ＲＲＣなど）を用いて基地局からＵＥに送信することができる。
【０１０９】
ＵＥに設定された複数個のＣＳＩ−ＲＳと複数個のＩＭＲのうち、信号測定のための一つのＣＳＩ−ＲＳリソースと干渉測定のための一つのＩＭＲとを関連付けて（ａｓｓｏｃｉａｔｅ）一つのＣＳＩプロセスを定義することができる。ＵＥは、異なったＣＳＩプロセスから誘導されたＣＳＩ情報は、独立した周期とサブフレームオフセット（ｓｕｂｆｒａｍｅ  ｏｆｆｓｅｔ）でフィードバックする。
【０１１０】
すなわち、それぞれのＣＳＩプロセスは、独立したＣＳＩフィードバック設定を有する。このようなＣＳＩ−ＲＳリソースとＩＭＲリソースとの関連付け（ａｓｓｏｃｉａｔｉｏｎ）情報、及びＣＳＩフィードバック設定などは、ＣＳＩプロセス別にＲＲＣなどの上位層シグナリングを用いて基地局がＵＥに知らせることができる。例えば、ＵＥには表１のような３つのＣＳＩプロセスが設定されると仮定する。
【０１１１】
【表１】
0005937761.tif 000020
【０１１２】
表１で、ＣＳＩ−ＲＳ０とＣＳＩ−ＲＳ１はそれぞれ、ＵＥのサービングｅＮＢであるｅＮＢ１から受信するＣＳＩ−ＲＳと、協調に参加する隣接ｅＮＢであるｅＮＢ２から受信するＣＳＩ−ＲＳを表す。もし、表１のそれぞれのＣＳＩプロセスに対して設定されたＩＭＲについて表２のように設定されたと仮定すれば、
【０１１３】
【表２】
0005937761.tif 000021
【０１１４】
ＩＭＲ０で、ｅＮＢ１はミューティング（ｍｕｔｉｎｇ）を、ｅＮＢ２はデータ送信を行い、ＵＥは、ＩＭＲ０から、ｅＮＢ１を除くｅＮＢからの干渉を測定するように設定される。同様に、ＩＭＲ１で、ｅＮＢ２はミューティング（ｍｕｔｉｎｇ）を、ｅＮＢ１はデータ送信を行い、ＵＥは、ＩＭＲ１から、ｅＮＢ２を除くｅＮＢからの干渉を測定するように設定される。また、ＩＭＲ２ではｅＮＢ１、ｅＮＢ２の両方ともミューティング（ｍｕｔｉｎｇ）を行い、ＵＥは、ＩＭＲ２から、ｅＮＢ１及びｅＮＢ２を除くｅＮＢからの干渉を測定するように設定される。
【０１１５】
したがって、表１及び表２に示す通り、ＣＳＩプロセス０のＣＳＩ情報は、ｅＮＢ１からデータを受信する場合、最適のＲＩ，ＰＭＩ，ＣＱＩ情報を示す。ＣＳＩプロセス１のＣＳＩ情報は、ｅＮＢ２からデータを受信する場合に、最適のＲＩ，ＰＭＩ，ＣＱＩ情報を示す。ＣＳＩプロセス２のＣＳＩ情報は、ｅＮＢ１からデータを受信し、ｅＮＢ２から干渉を全く受けない場合に、最適のＲＩ，ＰＭＩ，ＣＱＩ情報を示す。
【０１１６】
１つのＵＥに設定された全てのＩＭＲを、ＺＰ（ｚｅｒｏ  ｐｏｗｅｒ） ＣＳＩ−ＲＳと表す（ｉｎｄｉｃａｔｅ）ことができる。すなわち、ＵＥは、データ受信時に、設定されたＩＭＲで自身のデータがマッピングされないと仮定してＰＤＳＣＨレートマッチングを行う。
【０１１７】
ここで、全てのＩＭＲをＺＰ ＣＳＩ−ＲＳと示す理由は、ＣｏＭＰ ＵＥがどのｅＮＢから実際にデータを受信するか否かを知らないためである。例えば、図１０で、ＤＰＳ ＣｏＭＰを行うとき、ＵＥは、別のシグナリングがない限り、ｅＮＢ１及びｅＮＢ２のいずれのｅＮＢが実際にデータを送信するか否かを知らずにデータを受信する。
【０１１８】
もし、ｅＮＢ１がデータを送信し、その事実をＵＥが知ると、ＩＭＲ１を、干渉測定だけでなく、データ受信の用途にも用いることができる。逆に、ｅＮＢ２がデータを送信し、その事実をＵＥが知ると、ＩＭＲ０を、干渉測定だけでなく、データ受信の用途にも用いることができる。しかし、データを送信するｅＮＢをＵＥが知っていない場合には、ＩＭＲ０及びＩＭＲ１に対してミューティング（ｍｕｔｉｎｇ）を仮定してＰＤＳＣＨレートマッチングを行うことが、デコーディング誤りを減らす上で効果的である。
【０１１９】
上記の全てのＩＭＲをＺＰ ＣＳＩ−ＲＳと示す方式において、ＵＥは、設定された全てのＩＭＲに対してデータを受信できず、ＰＤＳＣＨリソースを浪費する問題点がある。ＵＥが、設定された全てのＩＭＲでデータが送信されないと仮定してＰＤＳＣＨレートマッチングを行うわけである。
【０１２０】
第１実施例
【０１２１】
以下では、ＵＥが、設定されたＩＭＲでもデータを受信し、ＰＤＳＣＨリソースをより效率的に用いる本発明の一実施例を説明する。そのために、ＵＥは、ｅＮＢ別ミューティング（ｍｕｔｉｎｇ）を行うＺＰ ＣＳＩ−ＲＳ情報、及びデータを実際に送信するｅＮＢを示す送信ｅＮＢ情報を受信する。
【０１２２】
ｅＮＢ別ミューティングを行うＺＰ ＣＳＩ−ＲＳの情報は、ＲＲＣシグナリングなどの上位層シグナリングを用いてＵＥに送信することができる。例えば、図１１で、ｅＮＢ１がＩＭＲ０及びＩＭＲ２でミューティングを行うため、ＵＥは、ＩＭＲ０及びＩＭＲ２を含むｅＮＢ１のＺＰ ＣＳＩ−ＲＳ情報を受信する。一方、ｅＮＢ２は、ＩＭＲ１及びＩＭＲ２でミューティングを行うため、ＵＥは、ＩＭＲ１及びＩＭＲ２を含むｅＮＢ２のＺＰ ＣＳＩ−ＲＳ情報を受信する。
【０１２３】
各ｅＮＢのＺＰ ＣＳＩ−ＲＳ情報は、ＺＰ ＣＳＩ−ＲＳの周期、サブフレームオフセット（ｓｕｂｆｒａｍｅ  ｏｆｆｓｅｔ）及びリソース設定（ｒｅｓｏｕｒｃｅ  ｃｏｎｆｉｇｕｒａｔｉｏｎ）を含む。これらの値は、各ｅＮＢのＺＰ ＣＳＩ−ＲＳ別に独立して設定されてもよいが、レガシー（Ｌｅｇａｃｙ）ＵＥへの影響（ｉｍｐａｃｔ）を最小化するために、各ｅＮＢのＺＰ ＣＳＩ−ＲＳは同一の周期とサブフレームオフセットを有するように制限されてもよい。このような制限により、ＺＰ ＣＳＩ−ＲＳが設定されないサブフレーム数を増やすことができ、基地局は、レガシーＵＥをこのサブフレームにスケジューリングし、データマッピングの不一致（ｍｉｓｍａｔｃｈ）によるデータデコーディング誤りを最小化することができる。
【０１２４】
データを実際に送信するｅＮＢを示す情報である送信ｅＮＢ情報は、ＰＤＣＣＨ内のＤＣＩを用いてｅＮＢからＵＥに動的に（ｄｙｎａｍｉｃ）送信することができる。例えば、図１１でＤＰＳを行う場合、ＵＥはｅＮＢ１又はｅＮＢ２からデータを受信する。このとき、ＵＥは送信ｅＮＢ情報をＤＣＩフィールドで受信する。図１１の実施例ではｅＮＢを２個としたが、現在ＬＴＥシステムでは１つのＵＥ当たり最大３つのｅＮＢが協調通信を行うことができることから、ＤＣＩに２ビットフィールドを追加して送信ｅＮＢ情報を送信することもできる。また、協調通信を行うｅＮＢが増加する場合、それに対応する長さのフィールドをＤＣＩに追加して送信ｅＮＢ情報を送信してもよい。
【０１２５】
表３は、上述した２ビットフィールドの例である。２ビットフィールドは、ＣＳＩプロセスインデックスと定義されたり、ＣＳＩ−ＲＳインデックスと定義される。例えば、上記の２ビットフィールドが「００」と設定された場合、ＵＥは、ＣＳＩ−ＲＳ０と測定された下りリンクチャネルを介してデータが受信されるという事実がわかる。
【０１２６】
【表３】
0005937761.tif 000022
【０１２７】
上述した送信ｅＮＢ情報は、ＤＣＩに新しいフィールドを追加して伝送してもよく、既存のＤＣＩで定義されたフィールドのうち、使用用途が定義されておらず保留された（ｒｅｓｅｒｖｅｄ）ビットを用いて送信してもよい。例えば、ＣＡのために定義された３ビットＣＩＦフィールドにおいて保留された一部の状態（ｓｔａｔｅ）を、表３のようにＣＳＩプロセスインデックス又はＣＳＩ−ＲＳインデックスと定義して用いることができる。
【０１２８】
ＵＥは、ｅＮＢ別ＺＰ ＣＳＩ−ＲＳ情報及び送信ｅＮＢ情報に基づいて、データを実際に送信するｅＮＢのＺＰ ＣＳＩ−ＲＳ情報を把握し、当該ＺＰ ＣＳＩ−ＲＳリソース要素（ＲＥ）ではデータがマッピングされないと仮定してデータ復調（ｄｅｍｏｄｕｌａｔｉｏｎ）を行う。
【０１２９】
上記の方式でＵＥがデータレートマッチングを行う場合、ＵＥは、設定されたＩＭＲのうち、データを送信するｅＮＢのＺＰ ＣＳＩ−ＲＳリソース要素の外部に存在するＩＭＲではデータがマッピングされると仮定してデータ復調を行う。すなわち、データを実際に送信するｅＮＢのＺＰ ＣＳＩ−ＲＳリソース要素に含まれるＩＭＲリソースについては、ＵＥは当該ＩＭＲにデータがマッピングされないと仮定してデータ復調を行う。一方、データを実際に送信するｅＮＢのＺＰ ＣＳＩ−ＲＳリソース要素に含まれないＩＭＲリソースについては、ＵＥは当該ＩＭＲにデータがマッピングされると仮定してデータ復調を行う。
【０１３０】
例えば、図１１で送信ｅＮＢ情報がｅＮＢ１を指定する場合、ＵＥはＩＭＲ０とＩＭＲ２に対してデータがマッピングされないと仮定してデータ復調を行う。そして、ＵＥは、ＩＭＲ１に対してデータがマッピングされると仮定してデータ復調を行う。一方、送信ｅＮＢ情報がｅＮＢ２を指定する場合、ＵＥはＩＭＲ１とＩＭＲ２に対してデータがマッピングされないと仮定してデータ復調を行う。そして、ＵＥは、ＩＭＲ０に対してデータがマッピングされると仮定してデータ復調を行う。
【０１３１】
上記の方法により、ＵＥは、ＩＭＲにおいてデータがマッピングされるリソース要素を用いて干渉測定を行うことができる。すなわち、ＵＥは、ＩＭＲと設定されたリソースがさらにＺＰ ＣＳＩ−ＲＳと設定されないと、当該リソースにＰＤＳＣＨがマッピングされたと判断する。ＵＥは、ＺＰ ＣＳＩ−ＲＳと設定されないＩＭＲのリソースを用いてＰＤＳＣＨを受信する場合、当該ＩＭＲから干渉測定の目的に受信されるＰＤＳＣＨを含めた全ての受信信号を干渉信号として考慮する。また、ＵＥは、当該ＩＭＲでＰＤＳＣＨの受信を目的とするＵＥのための信号が存在すると判断する。
【０１３２】
一方、ＣｏＭＰ測定集合（ｍｅａｓｕｒｅｍｅｎｔ  ｓｅｔ）内で少なくとも一つのｅＮＢはミューティングを行うため、ＩＭＲはｅＮＢのそれぞれのＺＰ ＣＳＩ−ＲＳリソース要素の和集合内に存在しなければならない。すなわち、端末は、ＺＰ ＣＳＩ−ＲＳリソース要素のいずれか一つがＩＭＲに完全にオーバーラッピング（ｏｖｅｒ  ｌａｐｐｉｎｇ）されないように設定されることを期待しない。例えば、２個のｅＮＢがＣｏＭＰ動作を行う場合、端末は、２個のＺＰ ＣＳＩ−ＲＳが設定される。このとき、ＩＭＲは、２個のＺＰ ＣＳＩ−ＲＳリソース要素の和集合内に存在する。
【０１３３】
上述したＩＭＲ適用方法は、説明の便宜のためにネックワークの観点で記述された。すなわち、ＣｏＭＰに参加するそれぞれのｅＮＢにＺＰ ＣＳＩ−ＲＳを設定し、ｅＮＢのうち、実際にデータを送信するｅＮＢを知らせると述べた。
【０１３４】
ＵＥの観点で説明すると、ＵＥは、設定されたＣＳＩ−ＲＳを基準に、ＣｏＭＰに参加する各ｅＮＢを区別する。例えば、図１１で、ＵＥは、自身に設定された２つのＣＳＩ−ＲＳ（すなわち、ＣＳＩ−ＲＳ０とＣＳＩ−ＲＳ１）から、ｅＮＢ１とｅＮＢ２を区別する。そのため、ｅＮＢ別にＺＰ ＣＳＩ−ＲＳを設定する動作は、ＵＥの観点ではＣＳＩ−ＲＳ別にＺＰ ＣＳＩ−ＲＳを設定する動作を意味する。そして、実際にデータを送信するｅＮＢを知らせる動作は、ＵＥの観点で、どのＣＳＩ−ＲＳの下りリンクチャネルで実際にデータが送信されるかを示す動作を意味する。したがって、ＵＥには、ネットワークからＣＳＩ−ＲＳ別にＺＰ ＣＳＩ−ＲＳ情報がそれぞれ設定され、どのＣＳＩ−ＲＳの下りリンクチャネルで実際にデータが送信されるかが指定される。これらの両情報に基づき、ＵＥは、データを実際に送信するｅＮＢのＺＰ ＣＳＩ−ＲＳを把握し、当該ＺＰ ＣＳＩ−ＲＳリソース要素でデータがマッピングされないと仮定してデータ復調を行う。
【０１３５】
また、ＵＥは、複数のＣＳＩ−ＲＳ設定を受信し、それぞれのＣＳＩ−ＲＳ別にＺＰ ＣＳＩ−ＲＳ設定を受信する。すなわち、一つのＣＳＩ−ＲＳと一つのＺＰ ＣＳＩ−ＲＳリソースは一対一で連結されている。これに加えて、ＵＥには複数のＩＭＲが割り当てられる。
【０１３６】
ＵＥが送信ｅＮＢ情報を含むＤＣＩによって割り当てられたＰＤＳＣＨを介してデータを受信する場合、ＵＥは、指定された複数のＣＳＩ−ＲＳリソースの全てにデータがマッピングされないと仮定するが、ＺＰ ＣＳＩ−ＲＳリソースについては、送信ｅＮＢ情報によって指定されたＣＳＩ−ＲＳと対応するＺＰ ＣＳＩ−ＲＳリソースにのみデータがマッピングされないと仮定する。すなわち、ＩＭＲのうち、送信ｅＮＢ情報によって指定されたＣＳＩ−ＲＳと対応するＺＰ ＣＳＩ−ＲＳリソースに含まれないリソースは、データがマッピングされると仮定する。
【０１３７】
一方、ＵＥが送信ｅＮＢ指示情報を含まないＤＣＩ（例えば、送信ｅＮＢ情報を含まないＤＣＩフォーマット１Ａ）によって割り当てられたＰＤＳＣＨを介してデータを受信する場合に、ＵＥは、複数のＣＳＩ−ＲＳリソースにはいずれもデータがマッピングされないと仮定するが、ＺＰ ＣＳＩ−ＲＳリソースについては、特定リソース、代表として最初（インデックスが最も低い）ＺＰ ＣＳＩ−ＲＳリソースのみにデータがマッピングされないと仮定する。すなわち、ＩＭＲのうち、インデックスが最も低いＺＰ ＣＳＩ−ＲＳリソースに含まれないリソースは、データがマッピングされると仮定する。
【０１３８】
他の方法として、ＵＥは、送信ｅＮＢ情報を含まないＤＣＩ、すなわち、ＤＣＩ １Ａによって割り当てられたＰＤＳＣＨを介してデータを受信する場合、指定された複数のＣＳＩ−ＲＳリソース及びＺＰ ＣＳＩ−ＲＳリソースのいずれにもデータがマッピングされないと仮定してもよい。そして、ＩＭＲについては、ＺＰ ＣＳＩ−ＲＳリソースに含まれないリソースは、データがマッピングされると仮定する。
【０１３９】
一方、ＣＳＩ−ＲＳは、送信パワーが乗せられて実際に送信がなされるＲＳであることから、ＮＺＰ（Ｎｏｎ−Ｚｅｒｏ  Ｐｏｗｅｒ） ＣＳＩ−ＲＳと呼ぶこともできる。
【０１４０】
図１２は、本発明の第１実施例に係るデータ受信方法を示すフローチャートである。
【０１４１】
まず、端末は、データを実際に送信するｅＮＢを指定する情報である送信ｅＮＢ情報を受信する（Ｓ１２１０）。送信ｅＮＢ情報の受信に関する詳細な説明は上述の通りであり、その詳細な説明は省略する。
【０１４２】
また、端末は、ｅＮＢ別ミューティングを行うＺＰ ＣＳＩ−ＲＳの情報を受信する（Ｓ１２３０）。端末がＺＰ ＣＳＩ−ＲＳの情報を受信する方法に関する詳細な説明は上述の通りであり、その詳細な説明は省略する。
【０１４３】
次に、端末は、設定されたＩＭＲのうち、データを送信するｅＮＢのＺＰ ＣＳＩ−ＲＳリソース要素の外部に存在するＩＭＲではデータがマッピングされると仮定してデータ復調を行う（Ｓ１２５０）。すなわち、データを実際に送信するｅＮＢのＺＰ ＣＳＩ−ＲＳリソース要素に含まれるＩＭＲリソースについては、ＵＥは、当該ＩＭＲにデータがマッピングされないと仮定してデータ復調を行う。一方、データを実際に送信するｅＮＢのＺＰ ＣＳＩ−ＲＳリソース要素に含まれないＩＭＲリソースについては、ＵＥは、当該ＩＭＲにデータがマッピングされると仮定してデータ復調を行う。
【０１４４】
第２実施例
【０１４５】
上述した第１実施例はＰＤＳＣＨデータマッピングに関するが、ＵＥがＥＰＤＣＣＨ（Ｅｎｈａｎｃｅｄ  ＰＤＣＣＨ）を受信する場合、ＥＰＤＣＣＨのＤＣＩ ｔｏ ＲＥマッピング（ｍａｐｐｉｎｇ）にも同一の方式を拡張して適用することができる。
【０１４６】
ＬＴＥシステムにおいてＰＤＳＣＨ領域の一部をＥＰＤＣＣＨと指定し、当該リソースを制御情報の送信のために用いることができる。ＥＰＤＣＣＨは、図１３のように、既存のＰＤＣＣＨに代えてＰＤＳＣＨ領域で送信される制御チャネルである、改良された（ｅｎｈａｎｃｅｄ）ＰＤＣＣＨのことを指す。図１３で、ＥＰＤＣＣＨのために用いられる周波数リソースは連続しているとしたが、これは一実施例に過ぎず、周波数ダイバーシティを得るために、ＥＰＤＣＣＨは、互いに離隔した周波数リソースを用いて送信されてもよい。
【０１４７】
基地局は、一つのＵＥに複数のＥＰＤＣＣＨセット（ＥＰＤＣＣＨ  ｓｅｔ）を指定することができる。ここで、ＥＰＤＣＣＨセットとは、一連のＥＰＤＣＣＨブラインドデコーディング（ｂｌｉｎｄ  ｄｅｃｏｄｉｎｇ）候補（ｃａｎｄｉｄａｔｅ）が存在するＰＲＢのセットを意味する。ＥＰＤＣＣＨセットを構成するＰＲＢは、ＲＲＣシグナリングなどの上位層シグナリングを通じて与えることができる。端末は、特定のブラインドデコーディング候補の検出を試みる際に、各候補が当該候補の属するＥＰＤＣＣＨセットのリソースを用いると仮定する。さらに、基地局は、ＥＰＤＣＣＨセットごとに様々な固有の特徴を設定することができる。例えば、ＥＰＤＣＣＨ候補が局部（ｌｏｃａｌｉｚｅｄ）送信を用いるか分散（ｄｉｓｔｒｉｂｕｔｅｄ）送信を用いるか、及び各ＥＰＤＣＣＨセットに属する候補が下りリンク割当（ａｓｓｉｇｎｍｅｎｔ）に用いられたとき、ＨＡＲＱ ＡＣＫのために用いるパラメータ（ｐａｒａｍｅｔｅｒ）などが設定されてもよい。
【０１４８】
ＵＥは、基地局から多重（ｍｕｌｔｉｐｌｅ）ＥＰＤＣＣＨセットをＲＲＣで指定された場合、ＥＰＤＣＣＨセットを、ＤＣＩをデコーディングするための探索領域（ｓｅａｒｃｈ  ｓｐａｃｅ、ＳＳ）と設定し、様々な集成（ａｇｇｒｅｇａｔｉｏｎ）レベルに対してブラインドデコーディングを試みる。各セットは、多重ＰＲＢと指定されてもよく、他のセットと一部のＰＲＢが重なってもよい。
【０１４９】
このとき、サービング（Ｓｅｒｖｉｎｇ）ｅＮＢだけでなく、他の隣接ｅＮＢもＵＥにＥＰＤＣＣＨ送信を行うことができる。例えば、次のように様々な場合を考慮することができる。第一に、各ＥＰＤＣＣＨセットの送信が、互いに異なるｅＮＢから行われることがある。第二に、各ＥＰＤＣＣＨ ＳＳ内のＰＲＢにおいてＥＰＤＣＣＨ送信が互いに異なるｅＮＢから行われることがある。第三に、各ＥＰＤＣＣＨ ＤＭＲＳポートにおいてＥＰＤＣＣＨ送信が互いに異なるｅＮＢから行われることがある。以下、各場合について詳しく説明し、ＥＰＤＣＣＨのＤＣＩ ｔｏ ＲＥマッピング方式を提案する。
【０１５０】
第一に、各ＥＰＤＣＣＨセットの送信が互いに異なるｅＮＢから行われることがある。このとき、基地局はＵＥにＲＲＣなどの上位層シグナリングを用いて各セットのＥＰＤＣＣＨ送信ｅＮＢ情報を知らせることができる。このＥＰＤＣＣＨ送信ｅＮＢ情報は、ＥＰＤＣＣＨ送信ｅＮＢのＣＳＩ−ＲＳインデックスである。ＵＥは、当該情報から各セットのＤＣＩをブラインドデコーディングするとき、該当セットのＥＰＤＣＣＨ送信ｅＮＢのＺＰ ＣＳＩ−ＲＳリソース要素でＤＣＩマッピングがされていないと仮定してブラインドデコーディングを行う。すなわち、当該セットのＣＳＩ−ＲＳに一対一で連結されたＺＰ ＣＳＩ−ＲＳでＤＣＩマッピングがされていないと仮定してブラインドデコーディングを行う。これらのＺＰ ＣＳＩ−ＲＳ外に存在するＩＭＲに対してはＤＣＩマッピングがされていると仮定してブラインドデコーディングを行う。
【０１５１】
例えば、図１１で、ＵＥに２個のＥＰＤＣＣＨセット、すなわち、ｓｅｔ０とｓｅｔ１が設定され、ｓｅｔ０ではｅＮＢ１が制御情報を送信し、ｓｅｔ１ではｅＮＢ２が制御情報を送信する。ＵＥには基地局からＲＲＣを通じてｓｅｔ０に対してＣＳＩ−ＲＳ０を、ｓｅｔ１に対してＣＳＩ−ＲＳ１が設定される。ＵＥはｓｅｔ０に対してブラインドデコーディングを行う際、ＣＳＩ−ＲＳ０に一対一で連結されたＺＰ ＣＳＩ−ＲＳでＤＣＩマッピングがされていないと仮定してブラインドデコーディングを行う。一方、ＵＥは、ｓｅｔ１に対してブラインドデコーディングを行う際、ＣＳＩ−ＲＳ１に一対一で連結されたＺＰ ＣＳＩ−ＲＳでＤＣＩマッピングがされていないと仮定してブラインドデコーディングを行う。ＵＥは、当該ＺＰ ＣＳＩ−ＲＳ外に存在するＩＭＲに対してはＤＣＩマッピングがされていると仮定してブラインドデコーディングを行う。
【０１５２】
各ＥＰＤＣＣＨセットと連結されるＣＳＩ−ＲＳのインデックスは、ＥＰＤＣＣＨセット設定メッセージ（ｃｏｎｆｉｇｕｒａｔｉｏｎ  ｍｅｓｓａｇｅ）内のフィールドで直接指示することができる。
【０１５３】
直接指示の場合、１つのＥＰＤＣＣＨセットが２つ以上のＣＳＩ−ＲＳと連結されてもよい。この場合は、２つ以上のｅＮＢで同一のＥＰＤＣＣＨを同時に送信する動作に有用である。
【０１５４】
直接指示の他の例として、基地局が、ＵＥがＥＰＤＣＣＨに対するチャネル推定をより容易に具現できるように、ドップラー拡散（Ｄｏｐｐｌｅｒ  ｓｐｒｅａｄ）や周波数オフセット（ｆｒｅｑｕｅｎｃｙ  ｏｆｆｓｅｔ）のようなチャネルの長期間（ｌｏｎｇ  ｔｅｒｍ）特徴（ｃｈａｒａｃｔｅｒｉｓｔｉｃ）がＥＰＤＣＣＨ ＤＭ ＲＳと同じＣＳＩ−ＲＳを、ＲＲＣのような上位層信号で指定することもできる。上記ＣＳＩ−ＲＳは同一位置で送信されるという仮定を適用できるＱＣ（ｑｕａｓｉ−ｃｏｌｏｃａｔｅｄ）ＣＳＩ−ＲＳを挙げることができる。このとき、このような上位層信号をＤＣＩマッピングにも再使用して、特定ＥＰＤＣＣＨとＱＣ ＣＳＩ−ＲＳ及びそれに伴うＺＰ ＣＳＩ−ＲＳに対してはＤＣＩマッピングがなされないとして動作できる。
【０１５５】
又は、各ＥＰＤＣＣＨセットに連結されるＣＳＩ−ＲＳのインデックスは、間接指示されてもよい。例えば、ＥＰＤＣＣＨセット０は自動でＣＳＩ−ＲＳ０に、ＥＰＤＣＣＨセット１は自動でＣＳＩ−ＲＳ１に連結されるとして動作することもできる。
【０１５６】
第二に、ＥＰＤＣＣＨ ＳＳ内の各ＰＲＢでＥＰＤＣＣＨ送信が互いに異なるｅＮＢから行われることがある。このとき、基地局はＵＥにＲＲＣなどの上位層シグナリングを用いて各ＰＲＢのＥＰＤＣＣＨ送信ｅＮＢ情報を知らせることができる。当該ＥＰＤＣＣＨ送信ｅＮＢ情報は、ＥＰＤＣＣＨ送信ｅＮＢのＣＳＩ−ＲＳインデックスである。ＵＥは、当該情報から各ＰＲＢをブラインドデコーディングするとき、該当ＰＲＢのＥＰＤＣＣＨ送信ｅＮＢのＺＰ ＣＳＩ−ＲＳ ＲＥでＤＣＩマッピングがされていないと仮定してブラインドデコーディングを行う。すなわち、当該ＰＲＢのＣＳＩ−ＲＳに一対一で連結されたＺＰ ＣＳＩ−ＲＳでＤＣＩマッピングがされていないと仮定してブラインドデコーディングを行う。当該ＺＰ ＣＳＩ−ＲＳ外に存在するＩＭＲに対してはＤＣＩマッピングがされていると仮定してブラインドデコーディングを行う。
【０１５７】
例えば、図１１で、ＵＥにＥＰＤＣＣＨ ＳＳ内に２個のＰＲＢ、すなわち、ＰＲＢ０とＰＲＢ１を設定し、ＰＲＢ０ではｅＮＢ１が制御情報を送信し、ＰＲＢ１ではｅＮＢ２が制御情報を送信する。ＵＥは、基地局からＲＲＣを通じて、ＰＲＢ０に対してＣＳＩ−ＲＳ０が、ＰＲＢ１に対してＣＳＩ−ＲＳ１が設定される。ＵＥは、ＰＲＢ０に対してブラインドデコーディングを行う際、ＣＳＩ−ＲＳ０に一対一で連結されたＺＰ ＣＳＩ−ＲＳでＤＣＩマッピングがされていないと仮定してブラインドデコーディングを行う。一方、ＵＥは、ＰＲＢ１に対してブラインドデコーディングを行う際、ＣＳＩ−ＲＳ１に一対一で連結されたＺＰ ＣＳＩ−ＲＳでＤＣＩマッピングがされていないと仮定してブラインドデコーディングを行う。ＵＥは、当該ＺＰ ＣＳＩ−ＲＳ外に存在するＩＭＲに対してはＤＣＩマッピングがされていると仮定してブラインドデコーディングを行う。
【０１５８】
さらに、ＥＰＤＣＣＨ ＳＳ内の各ＰＲＢでＥＰＤＣＣＨ送信が互いに異なるｅＮＢから行われる場合、次のような方式でＤＣＩ ｔｏ ＲＥマッピングを行うことができる。ＵＥは、各ＰＲＢでブラインドデコーディングを行う際、設定された多重ＣＳＩ−ＲＳの中から、当該ＰＲＢに割り当てられたＤＭＲＳのスクランブリング識別子（ｓｃｒａｍｂｌｉｎｇ  ｉｄ）と同じＣＳＩ−ＲＳスクランブリング識別子を有するＣＳＩ−ＲＳを探す。その後、上記ＣＳＩ−ＲＳに一対一で連結されたＺＰ ＣＳＩ−ＲＳでＤＣＩマッピングがされていないと仮定してブラインドデコーディングを行う。
【０１５９】
また、基地局とＵＥは、事前に定義されたＤＭＲＳのスクランブリング識別子とＣＳＩ−ＲＳスクランブリング識別子間のマッピングテーブル（ｍａｐｐｉｎｇ  ｔａｂｌｅ）を用いてＣＳＩ−ＲＳを探すこともできる。該マッピングテーブルはＲＲＣを通じて基地局がＵＥに知らせることができる。その後、当該ＣＳＩ−ＲＳに一対一で連結されたＺＰ ＣＳＩ−ＲＳでＤＣＩマッピングがされていないと仮定してブラインドデコーディングを行う。
【０１６０】
第三に、各ＥＰＤＣＣＨ ＤＭＲＳポート（ｐｏｒｔ）でＥＰＤＣＣＨ送信が互いに異なるｅＮＢから行われることがある。このとき、基地局はＵＥにＲＲＣなどの上位層シグナリングを用いて各ＤＭＲＳポートのＥＰＤＣＣＨ送信ｅＮＢ情報を知らせる。このＥＰＤＣＣＨ送信ｅＮＢ情報はＥＰＤＣＣＨ送信ｅＮＢのＣＳＩ−ＲＳインデックスである。ＵＥは、当該情報から各ＤＭＲＳポートに対するブラインドデコーディングを行う際、当該ＤＭＲＳポートのＥＰＤＣＣＨ送信ｅＮＢのＺＰ ＣＳＩ−ＲＳ ＲＥでＤＣＩマッピングがされていないと仮定してブラインドデコーディングを行う。すなわち、当該ＤＭＲＳポートのＣＳＩ−ＲＳに一対一で連結されたＺＰ ＣＳＩ−ＲＳでＤＣＩマッピングがされていないと仮定してブラインドデコーディングを行う。当該ＺＰ ＣＳＩ−ＲＳ外に存在するＩＭＲに対してはＤＣＩマッピングがされていると仮定してブラインドデコーディングを行う。
【０１６１】
例えば、図１１で、ＵＥは、ＤＭＲＳポート７とＤＭＲＳポート９を介してＥＰＤＣＣＨを受信することができる。このとき、ｅＮＢ１がＤＭＲＳポート７を介して制御情報を送信し、ｅＮＢ２がＤＭＲＳポート９を介して制御情報を送信する。ＵＥは、基地局からＲＲＣを通じて、ＤＭＲＳポート７に対してＣＳＩ−ＲＳ０が、ＤＭＲＳポート９に対してＣＳＩ−ＲＳ１が設定される。ＵＥは、ＤＭＲＳポート７に対してブラインドデコーディングを行う際、ＣＳＩ−ＲＳ０に一対一で連結されたＺＰ ＣＳＩ−ＲＳでＤＣＩマッピングがされていないと仮定してブラインドデコーディングを行う。一方、ＵＥは、ＤＭＲＳポート９に対してブラインドデコーディングを行う際、ＣＳＩ−ＲＳ１に一対一で連結されたＺＰ ＣＳＩ−ＲＳでＤＣＩマッピングがされていないと仮定してブラインドデコーディングを行う。ＵＥは、当該ＺＰ ＣＳＩ−ＲＳ外に存在するＩＭＲに対してＤＣＩマッピングがされていると仮定してブラインドデコーディングを行う。
【０１６２】
上述した通り、複数のｅＮＢがＵＥにＥＰＤＣＣＨを送信する３つの場合についてそれぞれ、ＥＰＤＣＣＨのＤＣＩ ｔｏ ＲＥ ｍａｐｐｉｎｇ方法を説明した。より簡単にいうと、ＵＥにＥＰＤＣＣＨ送信が可能な全てのｅＮＢに対して各ｅＮＢのＺＰ ＣＳＩ−ＲＳの結合（ｕｎｉｏｎ）でＤＣＩ ｔｏ ＲＥマッピングを決定することができる。すなわち、ＵＥはネットワークから上記ｅＮＢのＺＰ ＣＳＩ−ＲＳの結合情報を受信し、ＥＰＤＣＣＨのブラインドデコーディングを行う際、設定されたＺＰ ＣＳＩ−ＲＳの全てに対してＤＣＩマッピングがされていないと仮定する。
【０１６３】
第３実施例
【０１６４】
上述した方法で、ＩＭＲでデータがマッピングされたか否か、又はＩＭＲでＤＣＩがマッピングされたか否かを決定するために、各ｅＮＢ別ＺＰ ＣＳＩ−ＲＳ情報と送信ｅＮＢ情報を送信した。これにより、ＵＥは、ＩＭＲでデータ／ＤＣＩがマッピングされたか否かをデータ送信ｅＮＢのＺＰ ＣＳＩ−ＲＳ情報から間接的に把握することができる。その他の方式として、ＩＭＲでデータがマッピングされたか否か、又はＩＭＲでＤＣＩがマッピングされたか否かを、次のようにＤＣＩを用いて直接受信することもできる。
【０１６５】
一例として、表４のように、ＤＣＩに３ビットフィールドを追加し、データがマッピングされたか否かをＵＥに知らせることができる。ＵＥは、ＤＣＩを用いて表４の情報を受信し、ミューティングと設定されたＩＭＲでデータマッピングがされていないと仮定する。データ送信と設定されたＩＭＲではデータマッピングされたと仮定する。
【０１６６】
【表４】
0005937761.tif 000023
【０１６７】
例えば、図１１で、ＵＥがｅＮＢ１からデータを受信する場合、ＵＥは基地局から上記ＤＣＩフィールドで「０１０」を受信する。ＵＥはＩＭＲ１に対してデータマッピングを仮定し、ＩＭＲ０，ＩＭＲ２に対してデータマッピングを仮定せずにデータ復調を行う。一方、ＵＥがｅＮＢ２からデータを受信する場合、ＵＥは基地局から上記ＤＣＩフィールドで「０１１」を受信する。ＵＥは、ＩＭＲ０に対してデータマッピングを仮定し、ＩＭＲ１及びＩＭＲ２に対してデータマッピングを仮定せずにデータ復調を行う。
【０１６８】
又は、表４のように新しいフィールドを追加するのではなく、ＤＣＩ内にあるＤＭＲＳシーケンス（ｓｅｑｕｅｎｃｅ）の初期値（ｉｎｉｔｉａｌ  ｖａｌｕｅ）情報を用いて、ＩＭＲでデータマッピングがされたか否かを決定してもよい。例えば、上記初期値を０、１に設定可能であり、ＵＥに０が指定された場合、ＵＥは、設定されたＩＭＲのうち、ＩＭＲ０のみにデータマッピングされていると仮定する。ＵＥに１が指定された場合、ＵＥは、設定されたＩＭＲのうち、ＩＭＲ１のみにデータマッピングされていると仮定する。上記の例では初期値を１ビットに制限して説明したが、可能なビット数によって、より多いデータマッピングＩＭＲをＵＥに設定することもできる。
【０１６９】
上記の通り、ＵＥがＩＭＲでデータマッピングされているか否か又はＤＣＩマッピングされているか否かをＤＣＩを用いて直接受信する場合、ＵＥは、基地局から一つのＺＰ ＣＳＩ−ＲＳ情報を受信し、ＩＭＲを除くリソースに対してデータ／ＤＣＩがマッピングされたか否かを決定する。上記の一つのＺＰ ＣＳＩ−ＲＳ情報は、各ｅＮＢ別ＺＰ ＣＳＩ−ＲＳの結合（ｕｎｉｏｎ）を表す。例えば、図１１で、ｅＮＢ１のＺＰ ＣＳＩ−ＲＳがリソース１，２，３に、そしてｅＮＢ２のＺＰ ＣＳＩ−ＲＳがリソース３，４，５に割り当てられた場合、ＵＥは、上記の一つのＺＰ ＣＳＩ−ＲＳ情報から、ＺＰ ＣＳＩ−ＲＳがリソース１，２，３，４，５に割り当てられたことを把握し、当該リソースでデータ／ＤＣＩマッピングがないと仮定する。
【０１７０】
図１４に、本発明の一実施例に適用可能な基地局及び端末を例示する。
【０１７１】
無線通信システムにリレーが含まれる場合、バックホールリンクで通信は基地局とリレー間に行われ、アクセスリンクで通信はリレーと端末間に行われる。したがって、図面に例示した基地局又は端末は、状況によってリレーに置き換えてもよい。
【０１７２】
図１４を参照すると、無線通信システムは、基地局１４１０及び端末１４２０を含む。基地局１４１０は、プロセッサ１４１３、メモリー１４１４、及び無線周波数（Ｒａｄｉｏ  Ｆｒｅｑｕｅｎｃｙ、ＲＦ）ユニット１４１１，１４１２を含む。プロセッサ１４１３は、本発明で提案した手順及び／又は方法を具現するように構成することができる。メモリー１４１４はプロセッサ１４１３と接続され、プロセッサ１４１３の動作に関連した様々な情報を記憶する。ＲＦユニット１４１１，１４１２は、プロセッサ１４１３と接続され、無線信号を送信及び／又は受信する。端末１４２０は、プロセッサ１４２３、メモリー１４２４及びＲＦユニット１４２１，１４２２を含む。プロセッサ１４２３は、本発明で提案した手順及び／又は方法を具現するように構成することができる。メモリー１４２４は、プロセッサ１４２３と接続され、プロセッサ１４２３の動作に関連した様々な情報を記憶する。ＲＦユニット１４２１，１４２２は、プロセッサ１４２３と接続され、無線信号を送信及び／又は受信する。基地局１４１０及び／又は端末１４２０は、単一アンテナ又は多重アンテナを有することができる。以上説明してきた実施例は、本発明の構成要素と特徴を所定の形態で結合したものである。各構成要素又は特徴は、別の明示的な言及がない限り、選択的なものとして考慮しなければならない。各構成要素又は特徴は、他の構成要素や特徴と結合しない形態で実施することができる。また、一部の構成要素及び／又は特徴を結合して本発明の実施例を構成することもできる。本発明の実施例で説明される動作の順序は、変更されてもよい。ある実施例の一部の構成や特徴は他の実施例に含まれてもよく、他の実施例の対応する構成又は特徴に置き換わってもよい。特許請求の範囲で明示的な引用関係にない請求項を結合して実施例を構成してもよく、出願後の補正によって新しい請求項として含めてもよいことは明らかである。
【０１７３】
本文書で基地局によって行われるとした特定動作は、場合によっては、その上位ノード（ｕｐｐｅｒ  ｎｏｄｅ）によって行われてもよい。すなわち、基地局を含む複数のネットワークノード（ｎｅｔｗｏｒｋ  ｎｏｄｅｓ）からなるネットワークにおいて端末との通信のために行われる様々な動作は、基地局又は基地局以外の他のネットワークノードによって行われることは明らかである。基地局は、固定局（ｆｉｘｅｄ  ｓｔａｔｉｏｎ）、Ｎｏｄｅ Ｂ、ｅＮｏｄｅ Ｂ（ｅＮＢ）、アクセスポイント（ａｃｃｅｓｓ  ｐｏｉｎｔ）などの用語に代えてもよい。
【０１７４】
本発明に係る実施例は、様々な手段、例えば、ハードウェア、ファームウェア（ｆｉｒｍｗａｒｅ）、ソフトウェア又はそれらの結合などによって具現することができる。ハードウェアによる具現の場合、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０１７５】
ファームウェアやソフトウェアによる具現の場合、本発明の一実施例は、以上で説明された機能又は動作を実行するモジュール、手順、関数などの形態として具現することができる。ソフトウェアコードは、メモリーユニットに記憶させ、プロセッサによって駆動することができる。
【０１７６】
メモリーユニットは、プロセッサの内部又は外部に設けられて、公知の様々な手段によってプロセッサとデータを授受することができる。
【０１７７】
以上開示した本発明の好ましい実施例についての詳細な説明は、当業者が本発明を具現して実施できるように提供された。以上では本発明の好適な実施例を参照して説明したが、当該技術の分野における熟練した当業者に理解されるように、本発明の領域から逸脱しない範囲内で本発明を様々に修正及び変更することもできる。例えば、当業者は、上記の実施例に記載された各構成を互いに組み合わせる方式で用いてもよい。したがって、本発明は、ここに開示されている実施の形態に制限されるものではなく、ここに開示されている原理及び新規な特徴と一致する最も広い範囲を与えるためのものである。
【０１７８】
本発明は、本発明の精神及び必須特徴から逸脱しない範囲で他の特定の形態として具体化できる。したがって、上記の詳細な説明は、いずれの面においても制約的に解釈してはならず、例示的なものとして考慮しなければならない。本発明の範囲は、添付した請求項の合理的な解釈によって決定しなければならず、本発明の等価的範囲内における変更はいずれも本発明の範囲に含まれる。ここに開示されている実施の形態に制限されるものではなく、ここに開示されている原理及び新規な特徴と一致する最も広い範囲を与えるためのものである。また、特許請求の範囲で明示的な引用関係にない請求項を結合して実施例を構成してもよく、出願後の補正によって新しい請求項として含めてもよい。
【産業上の利用可能性】
【０１７９】
本発明は、端末、リレー、基地局などのような無線通信装置に利用可能である。
【図１】
0005937761.tif 000024
【図２】
0005937761.tif 000025
【図３】
0005937761.tif 000026
【図４】
0005937761.tif 000027
【図５（ａ）】
0005937761.tif 000028
【図５（ｂ）】
0005937761.tif 000029
【図６】
0005937761.tif 000030
【図７】
0005937761.tif 000031
【図８】
0005937761.tif 000032
【図９】
0005937761.tif 000033
【図１０】
0005937761.tif 000034
【図１１】
0005937761.tif 000035
【図１２】
0005937761.tif 000036
【図１３】
0005937761.tif 000037
【図１４】
0005937761.tif 000038